(57)【特許請求の範囲】
【請求項１】
移動局装置と通信する基地局装置において、
複数の前記移動局装置に対して共通である無線リソース制御情報を含むシステムインフォメーションを送信し、
ＵＳＳ（User equipment specific Search Space）において制御チャネルを送信し、
サービングセルの下りリンク送信帯域幅に含まれる複数の物理リソースブロックのうち、前記ＵＳＳに対応する物理リソースブロックは、少なくとも前記複数の前記移動局装置に対して共通である無線リソース制御情報によって与えられる
ことを特徴とする基地局装置。
【請求項２】
１つのサブフレームにおいて前記制御チャネルが配置されるＯＦＤＭ（Orthogonal Frequency Division Multiplexing）シンボルを示すために用いられるシステム情報を送信する
請求項１に記載の基地局装置。
【請求項３】
基地局装置と通信する移動局装置において、
複数の前記移動局装置に対して共通である無線リソース制御情報を含むシステムインフォメーションを受信し、
ＵＳＳ（User equipment specific Search Space）において制御チャネルをデコードし、
サービングセルの下りリンク送信帯域幅に含まれる複数の物理リソースブロックのうち、前記ＵＳＳに対応する物理リソースブロックは、少なくとも前記複数の前記移動局装置に対して共通である無線リソース制御情報によって与えられる
ことを特徴とする移動局装置。
【請求項４】
１つのサブフレームにおいて前記制御チャネルが配置されるＯＦＤＭ（Orthogonal Frequency Division Multiplexing）シンボルを示すために用いられるシステム情報を受信する
請求項３に記載の移動局装置。
【請求項５】
移動局装置と通信する基地局装置に対して用いられる無線通信方法において、
複数の前記移動局装置に対して共通である無線リソース制御情報を含むシステムインフ
ォメーションを送信し、
ＵＳＳ（User equipment specific Search Space）において制御チャネルを送信し、
サービングセルの下りリンク送信帯域幅に含まれる複数の物理リソースブロックのうち、前記ＵＳＳに対応する物理リソースブロックは、少なくとも前記複数の前記移動局装置に対して共通である無線リソース制御情報によって与えられる
ことを特徴とする無線通信方法。
【請求項６】
１つのサブフレームにおいて前記制御チャネルが配置されるＯＦＤＭ（Orthogonal Frequency Division Multiplexing）シンボルを示すために用いられるシステム情報を送信する
請求項５に記載の無線通信方法。
【請求項７】
基地局装置と通信する移動局装置に対して用いられる無線通信方法において、
複数の前記移動局装置に対して共通である無線リソース制御情報を含むシステムインフォメーションを受信し、
ＵＳＳ（User equipment specific Search Space）において制御チャネルをデコードし、
サービングセルの下りリンク送信帯域幅に含まれる複数の物理リソースブロックのうち、前記ＵＳＳに対応する物理リソースブロックは、少なくとも前記複数の前記移動局装置に対して共通である無線リソース制御情報によって与えられる
ことを特徴とする無線通信方法。
【請求項８】
１つのサブフレームにおいて前記制御チャネルが配置されるＯＦＤＭ（Orthogonal Frequency Division Multiplexing）シンボルを示すために用いられるシステム情報を受信する
請求項７に記載の無線通信方法。
【請求項９】
移動局装置と通信する基地局装置に実装される集積回路において、
複数の前記移動局装置に対して共通である無線リソース制御情報を含むシステムインフォメーションを送信する送信回路を備え、
前記送信回路は、ＵＳＳ（User equipment specific Search Space）において制御チャネルを送信し、
サービングセルの下りリンク送信帯域幅に含まれる複数の物理リソースブロックのうち、前記ＵＳＳに対応する物理リソースブロックは、少なくとも前記複数の前記移動局装置に対して共通である無線リソース制御情報によって与えられる
ことを特徴とする集積回路。
【請求項１０】
前記送信回路は、１つのサブフレームにおいて前記制御チャネルが配置されるＯＦＤＭ（Orthogonal Frequency Division Multiplexing）シンボルを示すために用いられるシステム情報を送信する
請求項１に記載の基地局装置。
【請求項１１】
基地局装置と通信する移動局装置に実装される集積回路において、
複数の前記移動局装置に対して共通である無線リソース制御情報を含むシステムインフォメーションを受信する受信回路を備え、
前記受信回路は、ＵＳＳ（User equipment specific Search Space）において制御チャネルをデコードし、
サービングセルの下りリンク送信帯域幅に含まれる複数の物理リソースブロックのうち、前記ＵＳＳに対応する物理リソースブロックは、少なくとも前記複数の前記移動局装置に対して共通である無線リソース制御情報によって与えられる
ことを特徴とする集積回路。
【請求項１２】
前記受信回路は、１つのサブフレームにおいて前記制御チャネルが配置されるＯＦＤＭ（Orthogonal Frequency Division Multiplexing）シンボルを示すために用いられるシステム情報を受信する
請求項１１に記載の集積回路。
【発明の詳細な説明】
【技術分野】
【０００１】
本発明は、基地局装置、移動局装置、無線通信方法、無線通信システムおよび集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置から移動局
装置への下りリンクの通信方式として、直交周波数分割多重（Orthogonal Frequency Division Multiplexing: OFDM）方式が用いられる。また、移動局装置から基地局装置への上りリンクの通信方式として、ＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。ＬＴＥは、基地局装置がカバーするエリアをセル状に複数配置するセルラー通信システムである。
【０００３】
ＬＴＥにおいて、基地局装置は、セルの中央の７２サブキャリアを用いて同期信号（Synchronization signal: SS）と物理報知チャネル（Physical Broadcast Channel: PBCH）とを送信する。ＬＴＥにおいて、移動局装置は、同期信号を用いてセルサーチを行ない、時間のタイミング、周波数のタイミングおよび物理レイヤーセル識別子（Physical-layerCell Identity: PCI）を取得する。ＬＴＥにおいて、移動局装置は、セルサーチの後に、物理報知チャネルを用いてマスターインフォメーションブロックを取得する。マスターインフォメーションブロックはシステム情報である。また、マスターインフォメーションブロックは、セルの下りリンク帯域幅を示す情報およびシステムフレームの番号（SystemFrame Number: SFN）を示す情報などを含む。システムフレームを無線フレームとも称する
。
【０００４】
ＬＴＥにおいて、移動局装置は、ＰＢＣＨを受信した後に、物理下りリンク共用チャネル（Physical Downlink Shared Channel: PDSCH）を用いて複数のシステムインフォメー
ションブロックを取得する。システムインフォメーションブロックはシステム情報である。また、システムインフォメーションブロックは、複数の移動局装置に対して共通である無線リソース設定情報が含まれる。基地局装置は、単一のシステムインフォメーションブロックを単一のＰＤＣＣＨを用いて送信する。
【０００５】
ＬＴＥにおいて、基地局装置は、セルの下りリンクの帯域のうちの一部をＰＤＳＣＨに割り当てる。また、ＬＴＥにおいて、基地局装置は、単一のＰＤＳＣＨのスケジューリングに用いられる下りリンク制御情報（Downlink Control Information: DCI）を単一の物
理下りリンク制御チャネル（Physical Downlink Control Channel: PDCCH）を用いて送信する。また、ＬＴＥにおいて、基地局装置は、システムインフォメーションブロックを送信するＰＤＳＣＨのスケジューリングに用いられる下りリンク制御情報を共通探索領域のＰＤＣＣＨで送信する。共通探索領域は、全ての移動局装置に対して共通であるＰＤＣＣＨの送信に用いられる。ＬＴＥにおいて、全ての移動局装置は共通探索領域においてＰＤＣＣＨを監視する。
【０００６】
ＬＴＥにおいて、移動局装置は、システムインフォメーションブロックに含まれる無線リソース設定情報に基づいて、物理ランダムアクセスチャネル（Physical Random Access
Channel: PRACH）の設定を行なう。ＬＴＥにおいて、移動局装置は、ＰＲＡＣＨの設定を行なった後に、ランダムアクセスプロシージャを開始し、上りリンクの送信タイミングの調整を行なう。ＬＴＥにおいて、移動局装置は、上りリンクの送信タイミングの調整を行なった後に、コネクション要求（connection request）メッセージを基地局装置に送信し、初期コネクション確立（initial connection establishment）プロシージャを開始する。
【０００７】
ＬＴＥにおいて、同一のチャネル構造のセル（コンポーネントキャリア）を複数用いて、移動局装置と基地局装置が通信をする技術（セル集約: cell aggregation、キャリア集約: carrier aggregationとも称される。）が用いられる。例えば、セル集約を用いた通
信では、複数のセルを用いて、移動局装置と基地局装置とが複数の物理チャネルを同時に送受信することができる。例えば、移動局装置と基地局装置とが１つのセルにおいて初期コネクション確立を行なった後に、基地局装置が移動局装置との通信に用いるセルを追加することができる。
【０００８】
３ＧＰＰでは、スペクトル効率（spectral efficiency）を向上させるために、非後方
互換性コンポーネントキャリア（non-backward compatible component carrier）の導入
について検討されている。非後方互換性コンポーネントキャリアは、同期信号、ＰＢＣＨ、ＰＤＣＣＨおよびシステムインフォメーションブロックのうち少なくとも１つが送信されない（非特許文献１）。従って、移動局装置と基地局装置とが１つの後方互換性コンポーネントキャリア（backward compatible component carrier）において初期コネクショ
ン確立を行なった後に、基地局装置が移動局装置との通信に用いる非後方互換性コンポーネントキャリアを追加する必要がある。つまり、非後方互換性コンポーネントキャリアは、後方互換性コンポーネントキャリアを少なくとも１つ含むコンポーネントキャリアのセットの一部である必要がある。後方互換性コンポーネントキャリアは、従来からＬＴＥで用いられるコンポーネントキャリアである。
【０００９】
また、３ＧＰＰでは、１つの基地局が収容できる端末の数を増加するために、下りリンク制御情報の送信に対して、拡張された物理下りリンク制御チャネル（Enhanced-Physical Downlink Control Channel: E-PDCCH）を用いることが検討されている（非特許文献２
）。Ｅ−ＰＤＣＣＨは、ＰＤＳＣＨ領域にマップされる。また、３ＧＰＰでは、Ｅ−ＰＤＣＣＨに対してビームフォーミング、空間多重などの技術を導入することが検討されている。
【先行技術文献】
【非特許文献】
【００１０】
【非特許文献１】"Additional Carrier Type for Rel-11", R1-113186, 3GPP TSG-RAN WG1 Meeting #66bis, Zhuhai, China, 10th - 14th October 2011.
【非特許文献２】"Enhancements for UE specific control signaling", R1-111332,3GPP TSG-RAN WG1 Meeting #65, Barcelona, Spain, 9th - 13th May 2011.
【発明の概要】
【発明が解決しようとする課題】
【００１１】
今後、スペクトル効率の向上のために多くの非後方互換性コンポーネントキャリアが導入されるべきである。しかしながら、従来の技術では、移動局装置と基地局装置とが１つの後方互換性コンポーネントキャリアにおいて初期コネクション確立（初期アクセス）を行なった後に、基地局装置が移動局装置との通信に用いる非後方互換性コンポーネントキャリアを追加する必要がある。つまり、従来の技術では、移動局装置は非後方互換性コンポーネントキャリアにおいて初期コネクション確立を行なうことができないという問題があった。
【００１２】
本発明は上記の点に鑑みてなされたものであり、その目的は、移動局装置が効率的に初期コネクション確立（初期アクセス）を行なうことができる基地局装置、移動局装置、無線通信方法、無線通信システムおよび集積回路を提供することを目的とする。
【課題を解決するための手段】
【００１３】
（１）上記の目的を達成するために、本発明は、以下のような手段を講じた。すなわち、本発明の基地局装置は、移動局装置と通信する基地局装置であって、物理報知チャネルを用いて、共通サーチスペースまたは拡張された共通サーチスペースで物理下りリンクチャネルのモニタを前記移動局装置に指示する情報を送信する。
【００１４】
（２）また、本発明は、上記の基地局装置において、前記物理報知チャネルを、時間領域において無線フレームのそれぞれで０番のサブフレームの第２のスロットの０番から３番までのＯＦＤＭシンボル、および周波数領域においてセルの下りリンクの中央の７２サブキャリアで送信する。
【００１５】
（３）また、本発明は、上記の基地局装置において、前記共通サーチスペースで物理下りリンク制御チャネルを送信し、前記拡張された共通サーチスペースで拡張された物理下りリンク制御チャネルを送信し、前記物理下りリンク制御チャネルは、物理下りリンク共用チャネルと時間多重され、前記拡張された物理下りリンク共用チャネルは、前記物理下りリンク共用チャネルと周波数多重される。
【００１６】
（４）また、本発明は、上記の基地局装置において、前記移動局装置との通信に用いるセルに前記物理下りリンク制御チャネルが配置されない際には、前記情報によって前記移動局装置が前記拡張された共通サーチスペースで前記拡張された物理下りリンク制御チャネルをモニタするよう指示する。
【００１７】
（５）また、本発明は、上記の基地局装置において、前記移動局装置との通信に用いるセルに前記物理下りリンク制御チャネルと前記拡張された物理下りリンク制御チャネルとが配置される際には、前記情報によって前記移動局装置が前記共通サーチスペースで前記物理下りリンク制御チャネルをモニタするよう指示する。
【００１８】
（６）また、本発明の基地局装置は、移動局装置と通信する基地局装置であって、物理下りリンク共用チャネルを用いて、複数の前記移動局装置に対して共通であるシステムインフォメーションブロックに、拡張された移動局装置固有サーチスペースの設定に関する情報を含めて送信する。
【００１９】
（７）また、本発明は、上記の基地局装置において、前記物理下りリンク共用チャネルを用いて、前記移動局装置に対する専用の無線リソース制御情報に、前記拡張された移動局装置固有サーチスペースの設定に関する情報を含めて送信する。
【００２０】
（８）また、本発明は、上記の基地局装置において、前記専用の無線リソース制御情報を前記移動局装置に送信するまで、前記システムインフォメーションブロックに含まれる前記拡張された移動局装置固有サーチスペースの設定に関する情報に基づいて、前記移動局装置によって設定される前記拡張された移動局装置固有サーチスペースで、前記移動局装置を対象とする前記拡張された物理下りリンク制御チャネルを送信する。
【００２１】
（９）また、本発明の基地局装置は、移動局装置と通信する基地局装置であって、下りリンク制御情報を１つまたは複数の連続する拡張された制御チャネル要素に配置し、複数の前記拡張された制御チャネル要素を単一の仮想リソースブロックに配置するように、前
記拡張された制御チャネル要素を複数の前記仮想リソースブロックに配置し、第１のスロットの連続する番号の前記仮想リソースブロックを第１のスロットの分散する番号の物理リソースブロックに配置し、第２のスロットの連続する番号の前記仮想リソースブロックを第２のスロットの分散する番号の前記物理リソースブロックに配置し、同じ番号である前記第１のスロットの仮想リソースブロックと前記第２のスロットの仮想リソースブロックとを、分散する番号の前記物理リソースブロックに配置する。
【００２２】
（１０）また、本発明は、上記の基地局装置において、同じ番号である前記第１のスロットの仮想リソースブロックおよび前記第２のスロットの仮想リソースブロックに配置された複数の前記拡張された制御チャネル要素を、前記物理リソースブロックに配置する前に、前記拡張された制御チャネル要素よりも小さい単位でインターリーブする。
【００２３】
（１１）また、本発明の移動局装置は、基地局装置と通信する移動局装置であって、物理報知チャネルを用いて、共通サーチスペースまたは拡張された共通サーチスペースで物理下りリンクチャネルのモニタを前記移動局装置に指示する情報を受信し、前記情報に基づいて、前記共通サーチスペースまたは前記拡張された共通サーチスペースで物理下りリンクチャネルをモニタする。
【００２４】
（１２）また、本発明は、上記の移動局装置において、前記物理報知チャネルは、時間領域において無線フレームのそれぞれで０番のサブフレームの第２のスロットの０番から３番までのＯＦＤＭシンボル、および周波数領域においてセルの下りリンクの中央の７２サブキャリアで送信される。
【００２５】
（１３）また、本発明は、上記の移動局装置において、前記共通サーチスペースで物理下りリンク制御チャネルを受信し、前記拡張された共通サーチスペースで拡張された物理下りリンク制御チャネルを受信し、前記物理下りリンク制御チャネルは、物理下りリンク共用チャネルと時間多重され、前記拡張された物理下りリンク共用チャネルは、前記物理下りリンク共用チャネルと周波数多重される。
【００２６】
（１４）また、本発明の移動局装置は、基地局装置と通信する移動局装置であって、物理下りリンク共用チャネルを用いて、複数の前記移動局装置に対して共通であるシステムインフォメーションブロックを受信し、前記システムインフォメーションブロックは、拡張された移動局装置固有サーチスペースの設定に関する情報含む。
【００２７】
（１５）また、本発明は、上記の移動局装置において、前記物理下りリンク共用チャネルを用いて、前記移動局装置に対する専用の無線リソース制御情報を受信し、前記専用の無線リソースブロック制御情報は、前記拡張された移動局装置固有サーチスペースの設定に関する情報を含む。
【００２８】
（１６）また、本発明は、上記の移動局装置において、前記専用の無線リソース制御情報を前記基地局装置から受信するまで、前記システムインフォメーションブロックに含まれる前記拡張された移動局装置固有サーチスペースの設定に関する情報に基づいて設定した前記拡張された移動局装置固有サーチスペースで、自装置を対象とする前記拡張された物理下りリンク制御チャネルをモニタする。
【００２９】
（１７）また、本発明は、上記の移動局装置において、前記専用の無線リソース制御情報に含まれる前記拡張された移動局装置固有サーチスペースの設定に関する情報に基づいて、前記拡張された移動局装置固有サーチスペースを設定している場合には、さらに受信した前記システムインフォメーションブロックに含まれる前記拡張された移動局装置固有サーチスペースの設定に関する情報に基づいて、前記拡張された移動局装置固有サーチス
ペースの設定を行なわない。
【００３０】
（１８）また、本発明の移動局装置は、基地局装置と通信する移動局装置であって、前記基地局装置から下りリンク制御情報を受信し、前記下りリンク制御情報は、１つまたは複数の連続する拡張された制御チャネル要素に配置され、複数の前記拡張された制御チャネル要素が単一の仮想リソースブロックに配置されるように、前記拡張された制御チャネル要素は複数の前記仮想リソースブロックに配置され、第１のスロットの連続する番号の前記仮想リソースブロックは、第１のスロットの分散する番号の物理リソースブロックに配置され、第２のスロットの連続する番号の前記仮想リソースブロックは、第２のスロットの分散する番号の前記物理リソースブロックに配置され、同じ番号である前記第１のスロットの仮想リソースブロックと前記第２のスロットの仮想リソースブロックとは、分散する番号の前記物理リソースブロックに配置される。
【００３１】
（１９）また、本発明は、上記の移動局装置において、同じ番号である第１のスロットの仮想リソースブロックおよび第２のスロットの仮想リソースブロックに配置された前記複数の拡張された制御チャネル要素は、物理リソースブロックに配置される前に、制御チャネル要素よりも小さい単位でインターリーブされる。
【００３２】
（２０）また、本発明の無線通信方法は、移動局装置と通信する基地局装置に用いられる無線通信方法であって、物理報知チャネルを用いて、共通サーチスペースまたは拡張された共通サーチスペースで物理下りリンクチャネルのモニタを前記移動局装置に指示する情報を送信する。
【００３３】
（２１）また、本発明の無線通信方法は、移動局装置と通信する基地局装置に用いられる無線通信方法であって、物理下りリンク共用チャネルを用いて、複数の前記移動局装置に対して共通であるシステムインフォメーションブロックに、拡張された移動局装置固有サーチスペースの設定に関する情報を含めて送信する。
【００３４】
（２２）また、本発明の無線通信方法は、移動局装置と通信する基地局装置に用いられる無線通信方法であって、下りリンク制御情報を１つまたは複数の連続する拡張された制御チャネル要素に配置し、複数の前記拡張された制御チャネル要素を単一の仮想リソースブロックに配置するように、前記拡張された制御チャネル要素を複数の前記仮想リソースブロックに配置し、第１のスロットの連続する番号の前記仮想リソースブロックを第１のスロットの分散する番号の物理リソースブロックに配置し、第２のスロットの連続する番号の前記仮想リソースブロックを第２のスロットの分散する番号の前記物理リソースブロックに配置し、同じ番号である前記第１のスロットの仮想リソースブロックと前記第２のスロットの仮想リソースブロックとを、分散する番号の前記物理リソースブロックに配置する。
【００３５】
（２３）また、本発明の無線通信方法は、基地局装置と通信する移動局装置に用いられる無線通信方法であって、物理報知チャネルを用いて、共通サーチスペースまたは拡張された共通サーチスペースで物理下りリンクチャネルのモニタを前記移動局装置に指示する情報を受信し、前記情報に基づいて、前記共通サーチスペースまたは前記拡張された共通サーチスペースで物理下りリンクチャネルをモニタする。
【００３６】
（２４）また、本発明の無線通信方法は、基地局装置と通信する移動局装置に用いられる無線通信方法であって、物理下りリンク共用チャネルを用いて、複数の前記移動局装置に対して共通であるシステムインフォメーションブロックを受信し、前記システムインフォメーションブロックは、拡張された移動局装置固有サーチスペースの設定に関する情報含む。
【００３７】
（２５）また、本発明の無線通信方法は、基地局装置と通信する移動局装置に用いられる無線通信方法であって、前記基地局装置から下りリンク制御情報を受信し、前記下りリンク制御情報は、１つまたは複数の連続する拡張された制御チャネル要素に配置され、複数の前記拡張された制御チャネル要素が単一の仮想リソースブロックに配置されるように、前記拡張された制御チャネル要素は複数の前記仮想リソースブロックに配置され、第１のスロットの連続する番号の前記仮想リソースブロックは、第１のスロットの分散する番号の物理リソースブロックに配置され、第２のスロットの連続する番号の前記仮想リソースブロックは、第２のスロットの分散する番号の前記物理リソースブロックに配置され、同じ番号である前記第１のスロットの仮想リソースブロックと前記第２のスロットの仮想リソースブロックとは、分散する番号の前記物理リソースブロックに配置される。
【００３８】
（２６）また、本発明の無線通信システムは、移動局装置と基地局装置とが通信する無線通信システムであって、前記基地局装置は、物理報知チャネルを用いて、共通サーチスペースまたは拡張された共通サーチスペースで物理下りリンクチャネルのモニタを前記移動局装置に指示する情報を送信し、前記移動局装置は、前記情報に基づいて、前記共通サーチスペースまたは前記拡張された共通サーチスペースで物理下りリンクチャネルをモニタする。
【００３９】
（２７）また、本発明の無線通信システムは、移動局装置と基地局装置とが通信する無線通信システムであって、前記基地局装置は、物理下りリンク共用チャネルを用いて、複数の前記移動局装置に対して共通であるシステムインフォメーションブロックに、拡張された移動局装置固有サーチスペースの設定に関する情報を含めて送信し、前記移動局装置は、前記情報に基づいて、前記拡張された移動局装置固有サーチスペースを設定する。
【００４０】
（２８）また、本発明の無線通信システムは、移動局装置と基地局装置とが通信する無線通信システムであって、前記基地局装置は、下りリンク制御情報を１つまたは複数の連続する拡張された制御チャネル要素に配置し、複数の前記拡張された制御チャネル要素を単一の仮想リソースブロックに配置するように、前記拡張された制御チャネル要素を複数の前記仮想リソースブロックに配置し、第１のスロットの連続する番号の前記仮想リソースブロックを第１のスロットの分散する番号の物理リソースブロックに配置し、第２のスロットの連続する番号の前記仮想リソースブロックを第２のスロットの分散する番号の前記物理リソースブロックに配置し、同じ番号である前記第１のスロットの仮想リソースブロックと前記第２のスロットの仮想リソースブロックとを、分散する番号の前記物理リソースブロックに配置し、前記物理リソースブロックに配置された信号を前記移動局装置に送信し、前記移動局装置は、前記物理リソースブロックに配置された信号を受信し、前記受信した信号に対して前記下りリンク制御情報の復号処理を行う。
【００４１】
（２９）また、本発明の集積回路は、移動局装置と通信する基地局装置に用いられる集積回路であって、物理報知チャネルを用いて、共通サーチスペースまたは拡張された共通サーチスペースで物理下りリンクチャネルのモニタを前記移動局装置に指示する情報を送信する。
【００４２】
（３０）また、本発明の集積回路は、移動局装置と通信する基地局装置に用いられる集積回路であって、物理下りリンク共用チャネルを用いて、複数の前記移動局装置に対して共通であるシステムインフォメーションブロックに、拡張された移動局装置固有サーチスペースの設定に関する情報を含めて送信する。
【００４３】
（３１）また、本発明の集積回路は、移動局装置と通信する基地局装置に用いられる集積回路であって、下りリンク制御情報を１つまたは複数の連続する拡張された制御チャネ
ル要素に配置し、複数の前記拡張された制御チャネル要素を単一の仮想リソースブロックに配置するように、前記拡張された制御チャネル要素を複数の前記仮想リソースブロックに配置し、第１のスロットの連続する番号の前記仮想リソースブロックを第１のスロットの分散する番号の物理リソースブロックに配置し、第２のスロットの連続する番号の前記仮想リソースブロックを第２のスロットの分散する番号の前記物理リソースブロックに配置し、同じ番号である前記第１のスロットの仮想リソースブロックと前記第２のスロットの仮想リソースブロックとを、分散する番号の前記物理リソースブロックに配置する。
【００４４】
（３２）また、本発明の集積回路は、基地局装置と通信する移動局装置に用いられる集積回路であって、物理報知チャネルを用いて、共通サーチスペースまたは拡張された共通サーチスペースで物理下りリンクチャネルのモニタを前記移動局装置に指示する情報を受信し、前記情報に基づいて、前記共通サーチスペースまたは前記拡張された共通サーチスペースで物理下りリンクチャネルをモニタする。
【００４５】
（３３）また、本発明の集積回路は、基地局装置と通信する移動局装置に用いられる集積回路であって、物理下りリンク共用チャネルを用いて、複数の前記移動局装置に対して共通であるシステムインフォメーションブロックを受信し、前記システムインフォメーションブロックは、拡張された移動局装置固有サーチスペースの設定に関する情報含む。
【００４６】
（３４）また、本発明の集積回路は、基地局装置と通信する移動局装置に用いられる集積回路であって、前記基地局装置から下りリンク制御情報を受信し、前記下りリンク制御情報は、１つまたは複数の連続する拡張された制御チャネル要素に配置され、複数の前記拡張された制御チャネル要素が単一の仮想リソースブロックに配置されるように、前記拡張された制御チャネル要素は複数の前記仮想リソースブロックに配置され、第１のスロットの連続する番号の前記仮想リソースブロックは、第１のスロットの分散する番号の物理リソースブロックに配置され、第２のスロットの連続する番号の前記仮想リソースブロックは、第２のスロットの分散する番号の前記物理リソースブロックに配置され、同じ番号である前記第１のスロットの仮想リソースブロックと前記第２のスロットの仮想リソースブロックとは、分散する番号の前記物理リソースブロックに配置される。
【発明の効果】
【００４７】
この発明によれば、後方互換性コンポーネントキャリアと非後方互換性コンポーネントキャリアの両方が混在するシステムにおいて、移動局装置が両方のコンポーネントキャリアで効率的に初期コネクション確立（初期アクセス）を行なうことができる。
【図面の簡単な説明】
【００４８】
【図１】本発明の無線通信システムの概念図である。
【図２】本発明の無線フレームの概略構成を示す図である。
【図３】本発明の後方互換性コンポーネントキャリアにおける物理下りリンクチャネルのマッピングの一例を示す図である。
【図４】本発明の非後方互換性コンポーネントキャリアにおける物理下りリンクチャネルのマッピングの一例を示す図である。
【図５】本発明のサーチスペースの配置を示す図である。
【図６】本発明のＰＤＣＣＨ候補およびＥ−ＰＤＣＣＨ候補の構成を示す図である。
【図７】本発明のＰＤＣＣＨ領域内のサーチスペースの構成を示す図である。
【図８】本発明のＰＤＣＣＨをリソースエレメントにマッピングする方法を示す図である。
【図９】本発明の拡張された共通サーチスペースのＥ−ＰＤＣＣＨをリソースエレメントにマッピングする方法を示す図である。
【図１０】本発明の拡張された共通サーチスペースのＥ−ＰＤＣＣＨをリソースエレメントにマッピングする別の方法を示す図である。
【図１１】本発明の拡張された共通サーチスペースのＥ−ＰＤＣＣＨをリソースエレメントにマッピングする際にオフセットを用いる方法を示す図である。
【図１２】本発明の拡張された共通サーチスペースのＥ−ＰＤＣＣＨをリソースエレメントにマッピングする際にオフセットを用いる別の方法を示す図である。
【図１３】本発明の拡張された移動局装置固有サーチスペースのＥ−ＰＤＣＣＨをリソースエレメントにマッピングする方法を示す図である。
【図１４】本発明の基地局装置３と移動局装置１との初期コネクション確立について説明するための図である。
【図１５】本発明の移動局装置１におけるＤＣＩフォーマットをモニタするサーチスペースの切り替え処理を示すフローチャート図である。
【図１６】本発明の移動局装置１の構成を示す概略ブロック図である。
【図１７】本発明の基地局装置３の構成を示す概略ブロック図である。
【発明を実施するための形態】
【００４９】
以下、図面を参照しながら本発明の第１の実施形態について詳しく説明する。
【００５０】
まず、本発明の物理チャネルについて説明する。
【００５１】
図１は、本発明の無線通信システムの概念図である。図１において、無線通信システムは、移動局装置１Ａ〜１Ｃ、および基地局装置３を具備する。図１は、基地局装置３から移動局装置１Ａ〜１Ｃへの下りリンクの無線通信では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、拡張された物理下りリンク制御チャネル（Enhanced-Physical Downlink Control Channel: E-PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical ControlFormat Indicator Channel: PCFICH）および物理ＨＡＲＱインディケータチャネル（Physical Hybrid ARQ Indicator Channel: PHICH）が用いられることを示す。
【００５２】
また、図１は、移動局装置１Ａ〜１Ｃから基地局装置３への上りリンクの無線通信では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）および物理ランダムアクセスチャネル（Physical Random Access Channel: PRACH）が用いられることを示す。以下、移動局装置１Ａ〜１Ｃを移動局装置１という。
【００５３】
同期信号は、移動局装置１が下りリンクの周波数領域および時間領域の同期をとるために用いられる。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる。ＰＢＣＨは、移動局装置１で共通に用いられるシステム情報（マスターインフォメーションブロック、Broadcast Channel: BCH）を報知するために用いられる物理チャネルである。ＰＢＣＨは、４０ms間隔で送信される。４０ms間隔のタイミングは、移動局装置１においてブラインド検出（blind detection）される。また、ＰＢＣＨは、10ms間隔で再送信される。
【００５４】
ＰＤＣＣＨとＥ−ＰＤＣＣＨとは、下りリンクアサインメント（「downlink assignment」、または「downlink grant」とも称する。）や上りリンクグラント（uplink grant）
などの下りリンク制御情報（Downlink Control Information: DCI）を送信するために用
いられる物理チャネルである。下りリンクアサインメントは、ＰＤＳＣＨに対する変調方式および符号化率に関する情報（Modulation and Coding Scheme: MCS）、無線リソース
の割り当てを示す情報、ＰＵＣＣＨに対するＴＰＣコマンド（Transmission Power Control command）などから構成される。上りリンクグラントは、ＰＵＳＣＨに対する変調方式および符号化率に関する情報、無線リソースの割り当てを示す情報、ＰＵＳＣＨに対するＴＰＣコマンドなどから構成される。
【００５５】
下りリンク制御情報には複数のフォーマットが用いられる。下りリンク制御情報のフォーマットをＤＣＩフォーマット（DCI format）と呼ぶ。例えば、ＤＣＩフォーマット０は、単一のセル内のシングルアンテナポート送信方式のＰＵＳＣＨのスケジューリングに用いられる。ＤＣＩフォーマット４は、単一のセル内のマルチアンテナポート送信方式のＰＵＳＣＨのスケジューリングに用いられる。ＤＣＩフォーマット１Ａは、単一のセル内のシングルアンテナポート送信方式またはトランスミッションダイバーシチ送信方式のＰＤＳＣＨのスケジューリングに用いられる。ＤＣＩフォーマット２は、単一のセル内のマルチアンテナポート送信方式のＰＤＳＣＨのスケジューリングに用いられる。ＤＣＩフォーマット０およびＤＣＩフォーマット４は上りリンクグラントである。ＤＣＩフォーマット１ＡおよびＤＣＩフォーマット２は下りリンクアサインメントである。
【００５６】
ＰＤＳＣＨは、ページング情報（Paging Channel: PCH）、システム情報および下りリ
ンクデータ（Downlink Shared Channel: DL-SCH）を送信するために用いられる物理チャ
ネルである。ＰＤＳＣＨで送信されるシステム情報を、システムインフォメーションブロックと称する。また、システムインフォメーションブロックは、複数の移動局装置に対して共通である無線リソース設定情報が含まれる。ＰＭＣＨは、ＭＢＭＳ（Multimedia Broadcast and Multicast Service）に関する情報（Multicast Channel: MCH）を送信するために用いられる物理チャネルである。ＰＣＦＩＣＨは、ＰＤＣＣＨが配置される領域（ＯＦＤＭシンボル）を示す情報を送信するために用いられる物理チャネルである。ＰＨＩＣＨは、基地局装置３が受信した上りリンクデータの復号の成否を示すＨＡＲＱインディケータ（応答情報）を送信するために用いられる物理チャネルである。
【００５７】
基地局装置３がＰＵＳＣＨに含まれる上りリンクデータの復号に成功した場合は、該上りリンクデータに対するＨＡＲＱインディケータはＡＣＫ（ACKnowledgement）を示し、
基地局装置３がＰＵＳＣＨに含まれる上りリンクデータの復号に失敗した場合は、該上りリンクデータに対するＨＡＲＱインディケータはＮＡＣＫ（Negative ACKnowledgement）を示す。単一のＰＨＩＣＨは、単一の上りリンクデータに対するＨＡＲＱインディケータを送信する。同一のＰＵＳＣＨに含まれる複数の上りリンクデータに対するＨＡＲＱインディケータは、複数のＰＨＩＣＨを用いて送信される。
【００５８】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号には、ＰＵＳＣＨまたはＰＵＣＣＨと時間多重されて送信されるＤＭＲＳ（Demodulation Reference Signal）と、ＰＵＳＣＨおよびＰＵＣＣＨとは関係なく送
信されるＳＲＳ（Sounding Reference Signal）がある。
【００５９】
ＰＵＣＣＨは、下りリンクのチャネル品質を示すチャネル状態情報（Channel State Information: CSI）、ＰＵＳＣＨの無線リソースの要求を示すスケジューリング要求（Scheduling Request: SR）、移動局装置１が受信した下りリンクデータの復号の成否を示すＡＣＫ／ＮＡＣＫなど、通信の制御に用いられる情報である上りリンク制御情報（Uplink Control Information: UCI）を送信するために用いられる物理チャネルである。
【００６０】
ＰＵＳＣＨは、上りリンクデータ（Uplink Shared Channel: UL-SCH）や上りリンク制
御情報を送信するために用いられる物理チャネルである。ＰＲＡＣＨは、ランダムアクセスプリアンブルを送信するために用いられる物理チャネルである。ＰＲＡＣＨは、移動局装置１が基地局装置３と時間領域の同期をとることを主な目的とし、その他に、初期コネクション確立（initial connection establishment）プロシージャ、ハンドオーバプロシージャ、コネクション再確立（connection re-establishment）プロシージャ、上りリン
ク送信に対する同期（タイミング調整）、および上りリンク無線リソースの割り当ての要求に用いられる。
【００６１】
ＢＣＨ、ＵＬ−ＳＣＨおよびＤＬ−ＳＣＨなどは、トランスポートチャネルである。ＵＬ−ＳＣＨをＰＵＳＣＨで送信する単位およびＤＬ−ＳＣＨをＰＤＳＣＨで送信する単位は、トランスポートブロック（transport block: TB）と呼ばれる。トランスポートブロ
ックは、ＭＡＣ（Media Access Control）層が物理層に渡す（deliver）データの単位で
あり、ＭＡＣ層においてトランスポートブロック毎にＨＡＲＱ（再送信）の制御が行なわれる。また、ＵＬ−ＳＣＨおよびＤＬ−ＳＣＨなどのＭＡＣ層で取り扱われるデータの単位のことをＭＡＣ  ＰＤＵ（Protocol Data Unit）とも称する。物理層において、トランスポートブロックはコードワードにマップされ、コードワード毎に符号化処理が行なわれる。
【００６２】
以下、本発明のセル集約（キャリア集約）について説明する。
【００６３】
セル集約では、複数のサービングセル（serving cell）が集約される。例えば、セル集約処理では、３つのサービングセル（serving cell）（サービングセル１、サービングセル２、サービングセル３）が集約される。集約される複数のサービングセルのうち１つのサービングセルはプライマリーセル（Primary cell: Pcell）である。
【００６４】
プライマリーセルは、移動局装置１が初期コネクション確立（initial connection establishment）プロシージャを行なったセル、または移動局装置１がコネクション再確立（connection re-establishment）プロシージャを開始したセル、またはハンドオーバプロ
シージャ中にプライマリーセルとして指示されたセルである。
【００６５】
プライマリーセルを除いたサービングセルはセカンダリーセル（Secondary cell: Scell）である。セカンダリーセルは追加の無線リソースを提供するために使われる。セカン
ダリーセルは、主にＰＤＳＣＨ、ＰＵＳＣＨ、ＰＲＡＣＨの送受信のために使用される。セカンダリーセルは、プライマリーセルとは異なる周波数上で動作し、移動局装置１と基地局装置３のコネクションが確立した後に、基地局装置３によって追加される。また、セカンダリーセルは、ハンドオーバプロシージャ中に基地局装置３から移動局装置１へ通知される。移動局装置１はプライマリーセルのみでＰＵＣＣＨの送信を行ない、セカンダリーセルでＰＵＣＣＨの送信を行なわない。移動局装置１はセカンダリーセルのＰＢＣＨおよびＰＤＳＣＨで送信されるページングおよびシステム情報を受信しなくてよい。
【００６６】
下りリンクにおいてサービングセルに対応するキャリアは下りリンクコンポーネントキャリア（Downlink Component Carrier: DL CC）であり、上りリンクにおいてサービング
セルに対応するキャリアは上りリンクコンポーネントキャリア（Uplink Component Carrier: UL CC）である。下りリンクにおいてプライマリーセルに対応するキャリアは下りリ
ンクプライマリーコンポーネントキャリア（Downlink Primary Component Carrier: DL PCC）であり、上りリンクにおいてプライマリーセルに対応するキャリアは上りリンクプライマリーコンポーネントキャリア（Uplink Primary Component Carrier: UL PCC）である。下りリンクにおいてセカンダリーセルに対応するキャリアは下りリンクセカンダリーコ
ンポーネントキャリア（Downlink Secondary Component Carrier: DL SCC）であり、上りリンクにおいてセカンダリーセルに対応するキャリアは上りリンクセカンダリーコンポーネントキャリア（Uplink Secondary Component Carrier: UL SCC）である。
【００６７】
下りリンクコンポーネントキャリアには、後方互換性コンポーネントキャリア（backward compatible component carrier）と非後方互換性コンポーネントキャリア（non-backward compatible component carrier）がある。本発明において、後方互換性コンポーネントキャリアは、上述した全ての物理下りリンクチャネルが送信される下りリンクコンポーネントキャリアである。本発明において、非後方互換性コンポーネントキャリアは、ＰＣＦＩＣＨ、ＰＨＩＣＨおよびＰＤＣＣＨが送信されない下りリンクコンポーネントキャリアである。基地局装置３と移動局装置１とがコンポーネントキャリアを用いて通信している間、当該コンポーネントキャリアの種類を変更することはできない。
【００６８】
物理チャネルのそれぞれは、いずれか１つのサービングセルで送信される。つまり、単一の物理チャネルが複数のサービングセルにまたがって送信されない。
【００６９】
以下、本発明の無線フレームの構成について説明する。
【００７０】
図２は、本発明の無線フレームの概略構成を示す図である。無線フレームのそれぞれは、１０ｍｓ長である。また、無線フレームのそれぞれは２０のスロットから構成される。スロットのそれぞれは、０．５ｍｓ長であり、０から１９の番号がつけられる。サブフレームのそれぞれは、１ｍｓ長であり、２つの連続するスロットによって定義される。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００７１】
スロットのそれぞれにおいて送信される信号または物理チャネルは、リソースグリッドによって表現される。リソースグリッドは複数のサブキャリアと複数のＯＦＤＭシンボルによって定義される。１つのスロットを構成するサブキャリアの数は、セルの下りリンクの帯域幅に依存する。１つのスロットを構成するＯＦＤＭシンボルの数は７である。リソースグリッド内のエレメントのそれぞれをリソースエレメントと称する。リソースエレメントは、サブキャリアの番号とＯＦＤＭシンボルの番号とを用いて識別する。
【００７２】
リソースブロックは、ある物理下りリンクチャネル（ＰＤＳＣＨなど）のリソースエレメントのマッピングを表現するために用いられる。リソースブロックは、仮想リソースブロックと物理リソースブロックが定義される。ある物理下りリンクチャネルは、まず仮想リソースブロックにマップされる。その後、仮想リソースブロックは、物理リソースブロックにマップされる。１つの物理リソースブロックは、時間領域において７個の連続するＯＦＤＭシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００７３】
以下、本発明の物理下りリンクチャネルのマッピングの一例について説明する。
【００７４】
図３は、本発明の後方互換性コンポーネントキャリアにおける物理下りリンクチャネルのマッピングの一例を示す図である。ＰＣＦＩＣＨは、サブフレーム内の０番（最初）のＯＦＤＭシンボルにマップされる。また、ＰＣＦＩＣＨは、周波数領域において分散した４つのリソースエレメントグループにマップされる。リソースエレメントグループは、連
続する複数のリソースエレメントから構成される。ＰＨＩＣＨは、サブフレーム内の０番（最初）のＯＦＤＭシンボルにマップされる。１つのＰＣＦＩＣＨは、周波数領域において分散した３つのリソースエレメントグループにマップされる。また、基地局装置３は、複数のＰＣＦＩＣＨを、同じリソースエレメント上で符号多重することができる。
【００７５】
ＰＤＣＣＨは、サブフレーム内の０番、０番と１番または０番から２番までのＯＦＤＭシンボルにマップされる。０番のＯＦＤＭシンボルにおいて、ＰＤＣＣＨはＰＣＦＩＣＨおよびＰＨＩＣＨがマップされるリソースエレメントを避けてマップされる。移動局装置１は、ＰＣＦＩＣＨで受信した情報基づいて、ＰＤＣＣＨがマップされるＯＦＤＭシンボルを認識する。また、基地局装置３は、複数のＰＤＣＣＨを、時間および周波数多重することができる。
【００７６】
ＰＤＳＣＨとＥ−ＰＤＣＣＨとは、サブフレーム内のＰＤＣＣＨがマップされないＯＦＤＭシンボルにマップされる。基地局装置３は、複数のＰＤＳＣＨを周波数多重、時間多重および／または空間多重することができる。また、基地局装置３は、複数のＥ−ＰＤＣＣＨを周波数多重、時間多重および／または空間多重することができる。また、基地局装置３は、ＰＤＳＣＨとＥ−ＰＤＣＣＨを周波数多重する。
【００７７】
同期信号は、時間領域において無線フレームのそれぞれにおいて０番と５番のサブフレームで送信される。当該０番と５番のサブフレームにおいて、同期信号は第１のスロットの５番と６番のＯＦＤＭシンボルで送信される。また、同期信号は、周波数領域において、セルの下りリンクの中央の７２サブキャリアで送信される。
【００７８】
ＰＢＣＨは、時間領域において無線フレームのそれぞれにおいて０番のサブフレームで送信される。当該０番のサブフレームにおいて、ＰＢＣＨは第２のスロットの０番から３番までのＯＦＤＭシンボルで送信される。また、ＰＢＣＨは、周波数領域において、セルの下りリンクの中央の７２サブキャリアで送信される。尚、図３にて、おい下りリンク参照信号とＰＭＣＨの説明は省略する。
【００７９】
図４は、本発明の非後方互換性コンポーネントキャリアにおける物理下りリンクチャネルのマッピングの一例を示す図である。基地局装置は、非後方互換性コンポーネントキャリアには、ＰＣＦＩＣＨとＰＨＩＣＨとＰＤＣＣＨとをマップしない。ゆえに、サブフレームのそれぞれにおいてＰＤＳＣＨとＥ−ＰＤＣＣＨは、０番のＯＦＤＭシンボルからマップすることができる。他の物理下りリンクチャネルのマッピングは、後方互換性コンポーネントキャリアと同じであるため、説明は省略する。尚、図４にて、おい下りリンク参照信号とＰＭＣＨの説明は省略する。
【００８０】
以下、本発明のサーチスペースについて説明する。
【００８１】
図５は、本発明のサーチスペースの配置を示す図である。ＰＤＣＣＨ領域には、共通サーチスペース（Common Search Space: CSS）と移動局装置固有サーチスペース(UE specific Search Space: USS)とが構成される。共通サーチスペースと移動局装置固有サーチス
ペースとは、基地局装置３がＰＤＣＣＨの送信に用いることができるリソースのセットである。移動局装置１は、共通サーチスペースと移動局装置固有サーチスペースとにおいてＰＤＣＣＨをモニタする。非後方互換性コンポーネントキャリアではＰＤＣＣＨが送信されないため、非後方互換性コンポーネントキャリアに共通サーチスペースと移動局装置固有サーチスペースは存在しない。
【００８２】
Ｅ−ＰＤＣＣＨ領域には、拡張された共通サーチスペース（Enhanced-Common Search Space: E-CSS）と拡張された移動局装置固有サーチスペース（Enhanced-UE specific Sear
ch Space: E-USS）とが構成される。拡張された共通サーチスペースと拡張された移動局
装置固有サーチスペースとは、基地局装置３がＥ−ＰＤＣＣＨの送信に用いることができるリソースのセットである。移動局装置１は、拡張された共通サーチスペースと拡張された移動局装置固有サーチスペースとにおいてＥ−ＰＤＣＣＨをモニタする。
【００８３】
共通サーチスペースと拡張された共通サーチスペースとは、複数の移動局装置１に対して共通のリソースによって定義される。移動局装置固有サーチスペースと拡張された移動局装置固有サーチスペースとは、移動局装置１のそれぞれに対して独立に定義される。基地局装置３は、共通サーチスペースと拡張された共通サーチスペースとにおいて、複数の移動局装置を対象とするＤＣＩフォーマットおよび／または特定の移動局装置を対象とするＤＣＩフォーマットを送信する。例えば、複数の移動局装置を対象とするＤＣＩフォーマットは、システムインフォメーションブロックのスケジューリングに用いられるＤＣＩフォーマット、またはランダムアクセスレスポンスのスケジューリングに用いられるＤＣＩフォーマットである。基地局装置３は、移動局装置固有サーチスペースと拡張された移動局装置固有サーチスペースとにおいて、特定の移動局装置を対象とするＤＣＩフォーマットを送信する。
【００８４】
共通サーチスペースおよび移動局装置固有サーチスペース内のＰＤＣＣＨの送信の用いられる可能性のあるリソースの候補をＰＤＣＣＨ候補（candidate）と称する。また、Ｐ
ＤＣＣＨ候補は複数の制御チャネル要素（Control Channel Element: CCE）によって構成される。拡張されたサーチスペースおよび拡張された移動局装置固有サーチスペース内のＥ−ＰＤＣＣＨの送信に用いられる可能性のある候補をＥ−ＰＤＣＣＨ候補と称する。また、Ｅ−ＰＤＣＣＨ候補は複数の拡張された制御チャネル要素（Enhanced Control Channel Element: E-CCE）によって構成される。
【００８５】
図６は、本発明のＰＤＣＣＨ候補およびＥ−ＰＤＣＣＨ候補の構成を示す図である。ＰＤＣＣＨ候補は、１つまたは連続する制御チャネル要素から構成される。ｎ個の連続する制御チャネル要素から構成されるＰＤＣＣＨ候補は、制御チャネル要素の番号（指標）をｎで割った余りが０となる番号（指標）を持つ制御チャネル要素上でのみスタートする。Ｅ−ＰＤＣＣＨ領域内のサーチスペースに対応するＰＤＣＣＨ候補は、１つまたは連続する拡張された制御チャネル要素から構成される。ｎ個の連続する拡張された制御チャネル要素から構成されるＰＤＣＣＨ候補は、拡張された制御チャネル要素の番号（指標）をｎで割った余りが０となる番号（指標）を持つ拡張された制御チャネル要素上でのみスタートする。
【００８６】
図６において、アグリゲーションレベル８のｉ番のＰＤＣＣＨ候補は、（ｉ×８）から（ｉ×８＋７）までの制御チャネル要素から構成される。図６において、アグリゲーションレベル４のｉ番のＰＤＣＣＨ候補は、（ｉ×４）から（ｉ×４＋３）までの制御チャネル要素から構成される。図６において、アグリゲーションレベル２のｉ番のＰＤＣＣＨ候補は、（ｉ×２）と（ｉ×２＋１）の制御チャネル要素から構成される。図６において、アグリゲーションレベル１のｉ番のＰＤＣＣＨ候補は、ｉの制御チャネル要素から構成される。
【００８７】
図６において、アグリゲーションレベル８のｉ番のＥ−ＰＤＣＣＨ候補は、（ｉ×８）から（ｉ×８＋７）までの拡張された制御チャネル要素から構成される。図６において、アグリゲーションレベル４のｉ番のＥ−ＰＤＣＣＨ候補は、（ｉ×４）から（ｉ×４＋３）までの拡張された制御チャネル要素から構成される。図６において、アグリゲーションレベル２のｉ番のＥ−ＰＤＣＣＨ候補は、（ｉ×２）と（ｉ×２＋１）の拡張された制御チャネル要素から構成される。図６において、アグリゲーションレベル１のｉ番のＥ−ＰＤＣＣＨ候補は、ｉの拡張された制御チャネル要素から構成される。
【００８８】
ＰＤＣＣＨ候補を構成する制御チャネル要素の数またはＥ−ＰＤＣＣＨを構成する拡張された制御チャネル要素の数をアグリゲーションレベル（aggregation level）と称する
。アグリゲーションレベルは１、２、４または８である。アグリゲーションレベル毎にサーチスペースが定義される。共通サーチスペースと拡張された共通サーチスペースとは、アグリゲーションレベル４と８とをとりうる。移動局装置固有サーチスペースと拡張された移動局装置固有サーチスペースとは、アグリゲーションレベルは１と２と４と８とをとりうる。
【００８９】
アグリゲーションレベル１のサーチスペースは、６個の連続するＰＤＣＣＨ候補またはＥ−ＰＤＣＣＨ候補から構成される。アグリゲーションレベル２のサーチスペースは６個の連続するＰＤＣＣＨ候補またはＥ−ＰＤＣＣＨ候補から構成される。アグリゲーションレベル４のサーチスペースは２個の連続するＰＤＣＣＨ候補またはＥ−ＰＤＣＣＨ候補から構成される。アグリゲーションレベル８のサーチスペースは２個の連続するＰＤＣＣＨ候補またはＥ−ＰＤＣＣＨ候補から構成される。
【００９０】
以下、本発明の共通サーチスペースおよび移動局装置固有サーチスペースについて説明をする。
【００９１】
図７は、本発明のＰＤＣＣＨ領域内のサーチスペースの構成を示す図である。ＰＤＣＣＨ領域内には、アグリゲーションレベル４の共通サーチスペースとアグリゲーションレベル８の共通サーチスペースとアグリゲーションレベル１の移動局装置固有サーチスペースとアグリゲーションレベル２の移動局装置固有サーチスペースとアグリゲーションレベル４の移動局装置固有サーチスペースとアグリゲーションレベル８の移動局装置固有サーチスペースが構成される。
【００９２】
共通サーチスペースは、予め定められた番号の制御チャネル要素から構成される。図７において、アグリゲーションレベル４の共通サーチスペースとアグリゲーションレベル８の共通サーチスペースとは０から１５までの制御チャネル要素から構成される。移動局装置固有サーチスペースを構成する制御チャネル要素は、移動局装置１が基地局装置３によって割当てられた無線ネットワーク一時識別子（Radio Network Temporary Identifier: RNTI）、アグリゲーションレベルおよび無線フレーム内のスロットの番号などに基づいて決定される。初期アクセスの際には、基地局装置３は、一時セル無線ネットワーク一時識別子（Temporary Cell-Radio Network Temporary Identifier: Temporary C-RNTI）をラ
ンダムアクセスレスポンスに含めて移動局装置１に送信する。初期アクセス後に、基地局装置３は、移動局装置１のセル無線ネットワーク一時識別子（Temporary Cell-Radio Network Temporary Identifier: C-RNTI）を再設定してもよい。
【００９３】
図８は、本発明のＰＤＣＣＨをリソースエレメントにマッピングする方法を示す図である。図８において、番号８００と番号８０１とは、基地局装置３によって１つの制御チャネルを用いて送信されるＰＤＣＣＨを示す。図８において、番号８０２と番号８０３とは、基地局装置３によって２つの制御チャネルを用いて送信されるＰＤＣＣＨを示す。番号８０４はあるコンポーネントキャリアのサブフレームにおけるＰＤＣＣＨ／ＰＨＩＣＨ／ＰＣＦＩＣＨをマップする領域を示す。番号８０５と番号８０６とはあるコンポーネントキャリアのサブフレームにおけるＰＤＳＣＨ領域を示す。番号８０７はあるコンポーネントキャリアのサブフレームにおけるＥ−ＰＤＣＣＨ領域を示す。
【００９４】
１つの制御チャネル要素は３６の変調シンボル（複素シンボル）を送信するために使用される。１つの制御チャネル要素は、９つのｍｉｎｉ−ＣＣＥから構成される。１つのｍｉｎｉ−ＣＣＥは４つの変調シンボルから構成される。基地局装置３は、１つのｍｉｎｉ
−ＣＣＥを１つのリソースエレメントグループにマップする。１つのリソースエレメントグループは４つの連続するリソースエレメントから構成される。つまり、１つの変調シンボルが１つのリソースエレメントにマップされる。
【００９５】
基地局装置３は、番号８００から番号８０３までの制御チャネル要素をｍｉｎｉ−ＣＣＥ単位でインターリーブする。次に、基地局装置３は、インターリーブしたｍｉｎｉ−ＣＣＥをサイクリックシフトする。基地局装置３は、ｍｉｎｉ−ＣＣＥをサイクリックシフトする値を、物理レイヤーセル識別子（Physical-layer Cell Identity: PCI）に基づい
て決定する。つまり、異なる物理レイヤーセル識別子を持つセルの間では、異なる値のサイクリックシフトが行なわれる。これにより、セル間におけるＰＤＣＣＨの干渉をランダム化することができる。
【００９６】
次に、基地局装置３は、サイクリックシフトしたｍｉｎｉ−ＣＣＥをＰＤＣＣＨ／ＰＨＩＣＨ／ＰＣＦＩＣＨ領域８０４のリソースエレメントグループにマップする。基地局装置３は、ＰＨＩＣＨおよびＰＣＦＩＣＨがマップされるリソースエレメントグループ以外のリソースエレメントグループにＰＤＣＣＨのｍｉｎｉ−ＣＣＥをマップする。
【００９７】
以下、本発明の拡張された共通サーチスペースについて説明をする。
【００９８】
拡張された共通サーチスペース、予め定められた番号の拡張された制御チャネル要素から構成される。アグリゲーションレベル４の拡張された共通サーチスペースとアグリゲーションレベル８の拡張された共通サーチスペースとは０から１５までの拡張された制御チャネル要素から構成される。図９は、本発明の拡張された共通サーチスペースのＥ−ＰＤＣＣＨをリソースエレメントにマッピングする方法を示す図である。図９において、番号９００と番号９０１とは、基地局装置３によって４個の拡張された制御チャネルを用いて送信される拡張された共通サーチスペースのＥ−ＰＤＣＣＨを示す。図９において、番号９０２とは、基地局装置３によって８個の制御チャネルを用いて送信される拡張された共通サーチスペースのＥ−ＰＤＣＣＨを示す。図９において、太線の四角は拡張された制御チャネル要素を示す。図９において、太線の四角に付された番号は拡張された制御チャネル要素の番号を示す。
【００９９】
基地局装置３は、０から１５までの拡張された制御チャネル要素を０から３までの仮想リソースブロックにマップする。基地局装置３は、１つの仮想リソースブロックに２個の拡張された制御チャネル要素をマップする。つまり、基地局装置３は、第１のスロットの仮想リソースブロックと該第１のスロットの仮想リソースブロックの番号と同じ番号の第２のスロットの仮想リソースブロックから構成される１つの仮想リソースブロックペアに４個の拡張された制御チャネル要素をマップする。次に、基地局装置３は、仮想リソースブロックを周波数領域において分散した物理リソースブロックにマップする。基地局装置３は第１のスロットの仮想リソースブロックを第１のスロットの物理リソースブロックにマップする。基地局装置３は第２のスロットの仮想リソースブロックを第２のスロットの物理リソースブロックにマップする。
【０１００】
図９において、番号９００と番号９０１の拡張された物理下りリンク制御チャネルは第１のスロットのみにマップされ、番号９０２の拡張された物理下りリンク制御チャネルは第２のスロットのみにマップされる。ゆえに、拡張された物理下りリンク制御チャネルの時間領域におけるダイバーシチの利得を得ることができないという問題がある。そこで、基地局装置３は、仮想リソースブロックペアにマップされた拡張された制御チャネル要素を、変調シンボルまたは変調シンボルグループの単位でインターリーブする。この際、変調シンボルグループを構成する変調シンボルの数は、拡張された制御チャネル要素に対応する変調シンボルの数よりも小さいほうが好ましい。基地局装置３は、変調シンボルをイ
ンターリーブした仮想リソースブロックペアの第１のスロットの仮想リソースブロックと第２の仮想リソースブロックとを周波数領域において分散した物理リソースブロックにマップする。これにより、単一の拡張された物理下りリンク制御チャネルが時間領域において第１のスロットと第２のスロットに分散してマップされるため、時間領域におけるダイバーシチの利得を得ることができるようになる。例えば、図９において、０と４と８と１２との拡張された制御チャネル要素は、第１のスロットの０の物理リソースブロックと第２のスロットの１２の物理リソースブロックに分散してマップされる。
【０１０１】
これにより、拡張された物理下りリンク制御チャネル（下りリンク制御情報）は分散されたリソースエレメントを用いて送信されるので、周波数ダイバーシチおよび時間ダイバーシチの効果を得ることができる。
【０１０２】
尚、図９で説明した方法以外の方法で、基地局装置３は拡張された制御チャネル要素を仮想リソースブロックにマップしてもよい。図１０は、本発明の拡張された共通サーチスペースのＥ−ＰＤＣＣＨをリソースエレメントにマッピングする別の方法を示す図である。また、基地局装置３は、１つの仮想リソースブロックペアに４以外の数の拡張された制御チャネル要素をマップしてもよい。
【０１０３】
図９および図１０では、複数の基地局装置３は同じ物理リソースブロック（０と６と１２と１８との物理リソースブロック）上に拡張された共通サーチスペースを構成してしまう。これにより、ある基地局装置３が拡張された共通サーチスペースで送信するＥ−ＰＤＣＣＨが、他の基地局装置３が拡張された共通サーチスペースで送信するＥ−ＰＤＣＣＨへの干渉となってしまう。そこで、基地局装置３が拡張された制御チャネル要素をマップする仮想リソースブロックを決定する際に、オフセットを用いる。図１１は、本発明の拡張された共通サーチスペースのＥ−ＰＤＣＣＨをリソースエレメントにマッピングする際にオフセットを用いる方法を示す図である。図９と図１０とでは、拡張された制御チャネル要素は０から３までの仮想リソースブロックにマップされたが、図１１では、拡張された制御チャネル要素は４から７までの仮想リソースブロックにマップされる。つまり、図１１では、拡張された制御チャネル要素をマップする仮想リソースブロックを決定する際に、オフセットとして４の値を用いている。
【０１０４】
基地局装置３は、他の基地局装置３から当該基地局装置３が用いるオフセットの値を示す情報を受信してもよい。基地局装置３は、当該受信したオフセットの値を示す情報から自装置が用いるオフセットの値を決定してもよい。基地局装置３は、当該決定したオフセットの値を示す情報を他の基地局装置３に送信してもよい。基地局装置３は、当該決定したオフセットの値を示す情報をＰＢＣＨで送信してもよい。これにより、移動局装置１は、ＰＢＣＨでオフセットの値を示す情報を受信することにより、拡張された共通サーチスペースのＥ−ＰＤＣＣＨが送信される物理リソースブロックを知ることができる。
【０１０５】
また、基地局装置３は、自装置の物理レイヤーセル識別子に基づいてオフセットの値を算出してもよい。移動局装置１は、基地局装置３が送信している同期信号から当該基地局装置３の物理レイヤーセル識別子を検出する。これにより、移動局装置１は、基地局装置３が送信している同期信号から検出した物理レイヤーセル識別子に基づいてオフセットの値を算出することができる。これにより、基地局装置３は、オフセットの値を示す情報を移動局装置１に送信しなくなるため、基地局装置３から移動局装置１への信号のオーバーヘッドを削減することができる。
【０１０６】
これにより、図１１では、図９および図１０とは異なる物理リソースブロックに拡張された共通サーチスペースのＥ−ＰＤＣＣＨがマップされる。図９と図１０では、基地局装置３は０と６と１２と１８との物理リソースブロックに拡張された共通サーチスペースの
Ｅ−ＰＤＣＣＨをマップする。一方、図１１では、基地局装置３は１と７と１３と１９との物理リソースブロックに拡張された共通サーチスペースのＥ−ＰＤＣＣＨをマップする。例えば、ある基地局装置３はオフセットの値として０を用い、他の基地局装置３はオフセットの値として４を用いることで、拡張された共通サーチスペースのＥ−ＰＤＣＣＨ間の干渉を避けることができる。
【０１０７】
図１２は、本発明の拡張された共通サーチスペースのＥ−ＰＤＣＣＨをリソースエレメントにマッピングする際にオフセットを用いる別の方法を示す図である。図１２では、基地局装置３は、拡張された共通サーチスペースを構成する拡張された制御チャネル要素を決定する際にオフセットを用いる。図１２において、オフセットの値は１６である。従って、図１２において、拡張された共通サーチスペースは１６から３１までの拡張された制御チャネル要素によって構成される。図１２において、１６から３１までの拡張された制御チャネル要素は、４から７までの仮想リソースブロックにマップされる。これにより、図１２の方法は、図１１においてオフセットの値として４を用いた時と同じ効果を得ることができる。
【０１０８】
以下、本発明の拡張された移動局装置固有サーチスペースについて説明をする。
【０１０９】
図１３は、本発明の拡張された移動局装置固有サーチスペースのＥ−ＰＤＣＣＨをリソースエレメントにマッピングする方法を示す図である。図１３において、番号１３００と番号１３０１とは、基地局装置３によって８個の拡張された制御チャネルを用いて送信される拡張された移動局装置固有サーチスペースのＥ−ＰＤＣＣＨを示す。図１３において、番号１３０２と番号１３０３とは、基地局装置３によって１個の拡張された制御チャネルを用いて送信される拡張された移動局装置固有サーチスペースのＥ−ＰＤＣＣＨを示す。図１３において、番号１３０４は、基地局装置３によって２個の拡張された制御チャネルを用いて送信される拡張された移動局装置固有サーチスペースのＥ−ＰＤＣＣＨを示す。図１３において、番号１３０５は、基地局装置３によって４個の拡張された制御チャネルを用いて送信される拡張された移動局装置固有サーチスペースのＥ−ＰＤＣＣＨを示す。
【０１１０】
基地局装置３は、拡張された移動局装置固有サーチスペースに対応する拡張された制御チャネル要素をマップする仮想リソースブロックを設定する。以下、当該設定された仮想リソースブロックを単に「設定された仮想リソースブロック」と称する。基地局装置３は、設定された仮想リソースブロックを示す情報を専用の無線リソース設定情報に含めて移動局装置１に送信する。移動局装置１は、専用の無線リソース設定情報を受信した際に、専用の無線リソース設定情報に含まれる設定された仮想リソースブロックを示す情報に基づいて、拡張された移動局装置固有サーチスペースに対応する拡張された制御チャネル要素をマップする仮想リソースブロックを設定する。基地局装置３は、移動局装置１のそれぞれに対して異なる仮想リソースブロックを設定された仮想リソースブロックとして設定することができる。また、基地局装置３は、移動局装置１のグループに対して同じ仮想リソースブロックを設定された仮想リソースブロックとして設定することができる。また、基地局装置３は、全ての移動局装置１に対して同じ仮想リソースブロックを設定された仮想リソースブロックとして設定することができる。
【０１１１】
図１３において、７と８と９と１０と１３と１４との仮想リソースブロックが設定された仮想リソースブロックである。仮想リソースブロックの番号が最も小さい設定された仮想リソースブロックの番号は０である。図１３において、仮想リソースブロックの番号が７の仮想リソースブロックの設定された仮想リソースブロックの番号は０である。拡張された移動局装置固有サーチスペースに対応する拡張された制御チャネル要素の数は、設定された仮想リソースブロックの数に依存する。拡張された移動局装置固有サーチスペース
に対応する拡張された制御チャネル要素の数は、設定された仮想リソースブロックの数に、１つの仮想リソースブロックにマップされる拡張された制御チャネル要素の数を乗算することによって算出できる。図１３において、設定された仮想リソースブロックの数は６であり、１つの仮想リソースブロックにマップされる拡張された制御チャネル要素の数は４であるため、拡張された移動局装置固有サーチスペースに対応する拡張された制御チャネル要素の数は２４である。
【０１１２】
基地局装置３は、さらに、拡張された移動局装置固有サーチスペースに対応する拡張された制御チャネル要素の中から、拡張された移動局装置固有サーチスペースを構成する拡張された制御チャネル要素を設定する。基地局装置３は、拡張された移動局装置固有サーチスペースを構成する拡張された制御チャネル要素を示す情報を専用の無線リソース設定情報に含めて移動局装置１に送信する。移動局装置１は、専用の無線リソース設定情報を受信した際に、専用の無線リソース設定情報に含まれる、拡張された移動局装置固有サーチスペースを構成する拡張された制御チャネル要素を示す情報に基づいて、Ｅ−ＰＤＣＣＨをモニタする拡張された移動局装置固有サーチスペースを設定する。基地局装置３は、移動局装置１に対してアグリゲーションレベル毎に異なる拡張された移動局装置固有サーチスペースのスタートポイントを設定してもよい。基地局装置３は、移動局装置１に対して全てのアグリゲーションレベルに対して共通の拡張された移動局装置固有サーチスペースのスタートポイントを設定してもよい。基地局装置３は、移動局装置１のそれぞれに対して異なる拡張された移動局装置固有サーチスペースのスタートポイントを設定してもよい。また、基地局装置３は、移動局装置１のグループに対して同じ拡張された移動局装置固有サーチスペースのスタートポイントを設定してもよい。
【０１１３】
例えば、図１３において、基地局装置３は、ある移動局装置１に、全てのアグリゲーションレベルの拡張された移動局装置固有サーチスペースで共通のスタートポイントとして８を設定してもよい。この場合、アグリゲーションレベル１の拡張された移動局装置固有サーチスペースは８から１３までの拡張された制御チャネル要素から構成される。またアグリゲーションレベル２の拡張された移動局装置固有サーチスペースは８から１９までの拡張された制御チャネル要素から構成される。また、アグリゲーションレベル４の拡張された移動局装置固有サーチスペースは８から２３までの拡張された制御チャネル要素から構成される。また、アグリゲーションレベル８の拡張された移動局装置固有サーチスペースは、８から２３までの拡張された制御チャネル要素から構成される。
【０１１４】
基地局装置３は、拡張された移動局装置固有サーチスペースに対応する拡張された制御チャネル要素を設定された仮想リソースブロックにマップする。その後、設定された仮想リソースブロックを、設定された仮想リソースブロックの番号と同じ番号の物理リソースブロックにマップする。尚、基地局装置３は、移動局装置固有サーチスペースに対応する仮想リソースブロックを、仮想リソースブロックの番号とは異なる番号の物理リソースブロックにマップするか、仮想リソースブロックの番号と同じ番号の物理リソースブロックにマップするかを設定してもよい。
【０１１５】
以下、本発明の初期コネクション確立プロシージャについて説明する。
【０１１６】
図１４は、本発明の基地局装置３と移動局装置１との初期コネクション確立について説明するための図である。まず、図１４を用いて、後方互換性コンポーネントキャリアにおける基地局装置３と移動局装置１との初期コネクション確立プロシージャについて説明する。
【０１１７】
まず、移動局装置１は、基地局装置３がセルの中央の７２サブキャリアで送信する同期信号を用いてセルの検出（セルサーチ）を行なう（１４００）。移動局装置１は、同期信
号に基づいて、時間のタイミング、周波数のタイミングおよび物理レイヤーセル識別子を取得する。移動局装置１は、基地局装置３がセルの中央の７２サブキャリアで送信するＰＢＣＨを用いてマスターインフォメーションブロックを取得する（１４０２）。移動局装置１は、マスターインフォメーションブロックに含まれる情報から、セルの下りリンク帯域幅およびシステムフレームの番号を設定する。
【０１１８】
マスターインフォメーションブロックには、コンポーネントキャリアの種類を示す１ビットの情報が含まれている。基地局装置３は、後方互換性コンポーネントキャリアを用いて移動局装置１と通信をしている際には、コンポーネントキャリアの種類を示す１ビットの情報を０にセットする。つまり、基地局装置３は、移動局装置３との通信に用いるセルにＰＤＣＣＨとＥ−ＰＤＣＣＨとが配置される際には、コンポーネントキャリアの種類を示す１ビットの情報によって移動局装置３が共通サーチスペースでＰＤＣＣＨをモニタするよう指示する。移動局装置１は、コンポーネントキャリアの種類を示す１ビットの情報が０にセットされたいた際には、共通サーチスペースおよび移動局装置固有サーチスペースでＰＤＣＣＨのモニタをするよう設定する。
【０１１９】
また、基地局装置３は、非後方互換性コンポーネントキャリアを用いて移動局装置１と通信をしている際には、コンポーネントキャリアの種類を示す１ビットの情報を１にセットする。つまり、基地局装置３は、移動局装置３との通信に用いるセルにＰＤＣＣＨが配置されず、Ｅ−ＰＤＣＣＨが配置される際には、コンポーネントキャリアの種類を示す１ビットの情報によって移動局装置３が拡張された共通サーチスペースでＰＤＣＣＨをモニタするよう指示する。移動局装置１は、コンポーネントキャリアの種類を示す１ビットの情報が１にセットされていた際には、拡張された共通サーチスペースおよび拡張された移動局装置固有サーチスペースでＥ−ＰＤＣＣＨのモニタをするよう設定する。従って、コンポーネントキャリアの種類を示す１ビットの情報は、移動局装置１にＰＤＣＣＨまたはＥ−ＰＤＣＣＨのモニタを指示する情報とも言える。これにより、移動局装置１は、ＰＤＣＣＨとＥ−ＰＤＣＣＨの両方をモニタする必要がなくなるため、移動局装置１のＤＣＩフォーマットの受信処理の負荷を低減することができる。
【０１２０】
移動局装置１は、基地局装置３がＰＤＳＣＨを用いて送信するシステムインフォメーションブロック１を取得する（１４０４）。システムインフォメーションブロック１には、システムインフォメーションブロック１以外のシステムインフォメーションブロックの送信タイミングに関する情報が含まれている。
【０１２１】
移動局装置１は、基地局装置３がＰＤＳＣＨを用いて送信するシステムインフォメーションブロック２を取得する（１４０６）。システムインフォメーションブロック２には、複数の移動局装置１に対して共通の無線リソース設定情報が含まれる。当該共通の無線リソース設定情報には、ＰＲＡＣＨの設定に関する情報が含まれる。移動局装置１は、ＰＲＡＣＨの設定に関する情報に従ってＰＲＡＣＨの設定を行う。基地局装置３は、システムインフォメーションブロックのスケジューリングに用いられるＤＣＩフォーマットを共通サーチスペースのＰＤＣＣＨを用いて送信する。
【０１２２】
移動局装置１は、ランダムアクセスプリアンブルの番号をランダムに選択する。移動局装置１は、ＰＲＡＣＨを用いて選択した番号のランダムアクセスプリアンブルを基地局装置３に送信する（１４０８）。基地局装置３は、ＰＲＡＣＨで送信されたランダムアクセスプリアンブルを受信する。基地局装置３は、ランダムアクセスプリアンブルを用いて上りリンクの送信タイミングを推定する。基地局装置３は、ＰＤＳＣＨでランダムアクセスレスポンスを送信する。ランダムアクセスレスポンスには、基地局装置３が検出したランダムアクセスプリアンブルに対する複数の情報を含む。当該複数の情報は、ランダムアクセスプリアンブルの番号、一時セル無線ネットワーク一時識別子、ＴＡコマンド（Timing
Advance command）およびＰＵＳＣＨのスケジューリングに用いられる情報（ランダムア
クセスレスポンスグラント）である。ＴＡコマンド（Timing Advance command）は、移動局装置１に対して上りリンクの送信タイミングの調整を指示するために用いられる。移動局装置１は、ランダムアクセスレスポンスに、送信したランダムアクセスプリアンブルの番号が含まれていた場合に、当該ランダムアクセスレスポンスが自装置を対象としている判断する。基地局装置３は、ランダムアクセスレスポンスのスケジューリングに用いられるＤＣＩフォーマットを共通サーチスペースのＰＤＣＣＨを用いて送信する。
【０１２３】
移動局装置１は、ランダムアクセスレスポンスに含まれているＴＡコマンドに基づいて上りリンクの送信タイミングを調整する。移動局装置１は、ランダムアクセスレスポンスグラントによってスケジューリングされたＰＵＳＣＨを用いてコネクション要求メッセージを基地局装置３に送信する（１４１２）。コネクション要求メッセージには、移動局装置１を識別する識別子（InitialUE-Identity）が含まれる。移動局装置１は、Ｓ−ＴＭＳＩを提供されている際には、トラッキングエリア内にて移動局装置１を識別するための識別子（System architecture evolution Temporary Mobile Subscriber Identity: S-TMSI）をＩｎｉｔｉａｌＵＥ−Ｉｄｅｎｔｉｔｙにセットする。また、移動局装置１は、Ｓ−ＴＭＳＩを提供されていない際には、０から２４０−１までの範囲の中からランダムに値を選択し、選択した値をＩｎｉｔｉａｌＵＥ−Ｉｄｅｎｔｉｔｙにセットする。
【０１２４】
基地局装置３は、移動局装置１から受信したＰＵＳＣＨに含まれるＩｎｉｔｉａｌＵＥ−Ｉｄｅｎｔｉｔｙと同じ値のコンテンションレゾリューション識別子（contention resolution identity）をＰＤＳＣＨを用いて移動局装置１に送信する（１４１４）。移動局装置１は、受信したコンテンションレゾリューション識別子の値と送信したＩｎｉｔｉａｌＵＥ−Ｉｄｅｎｔｉｔｙの値がマッチした場合に、（１）ランダムアクセスプリアンブルのコンテンションレゾリューションに成功したとみなし、（２）一時セル無線ネットワーク一時識別子の値をセル無線ネットワーク一時識別子にセットし、（３）一時セル無線ネットワーク一時識別子を破棄し、（４）ランダムアクセスプロシージャを正しく完了したとみなす。
【０１２５】
基地局装置３は、コンテンションレゾリューション識別子の送信に用いられるＰＵＳＣＨに対応するＤＣＩフォーマットを共通サーチスペースまたは移動局装置固有サーチスペースのＰＤＣＣＨを用いて送信する。この際、移動局装置固有サーチスペースは、移動局装置１に対して割当てた一時セル無線ネットワーク一時識別子に基づいて決定される。
【０１２６】
基地局装置３は、専用の無線リソース設定情報をＰＤＳＣＨを用いて移動局装置１に送信する（１４１６）。基地局装置３は、専用の無線リソース設定情報を用いて、移動局装置１がＤＣＩフォーマットをどのサーチスペースでモニタするかを設定することができる。また、基地局装置３は、専用の無線リソース設定情報を用いて、拡張された移動局装置固有サーチスペースの設定を行なうことができる。基地局装置３は、専用の無線リソース設定情報のスケジューリングに用いられるＤＣＩフォーマットを共通サーチスペースまたは移動局装置固有サーチスペースのＰＤＣＣＨを用いて送信する。この際、移動局装置固有サーチスペースは、セル無線ネットワーク一時識別子に基づいて決定される。
【０１２７】
基地局装置３は、専用の無線リソース設定情報を用いて設定したサーチスペースにおいて、ＰＵＳＣＨのスケジューリングに用いられるＤＣＩフォーマットを送信する。移動局装置１は、スケジューリングされたＰＵＳＣＨを用いて専用の無線リソース設定情報に従って設定が完了したことを示すコネクションセットアップ完了メッセージ（connection setup complete message）を基地局装置３に送信する（１４１８）。移動局装置１は、コ
ネクションセットアップ完了メッセージの送信に成功した後、初期コネクション確立プロシージャを正しく完了したとみなす。
【０１２８】
次に、図１４を用いて、非後方互換性コンポーネントキャリアにおける基地局装置３と移動局装置１との初期コネクション確立プロシージャについて説明する。後方互換性コンポーネントキャリアにおける基地局装置３と移動局装置１との初期コネクション確立プロシージャと共通する項目についての説明は省略する。
【０１２９】
移動局装置１は、基地局装置３がセルの中央の７２サブキャリアで送信するＰＢＣＨを用いてマスターインフォメーションブロックを取得する（１４０２）。移動局装置１は、マスターインフォメーションブロックに含まれる情報から、セルの下りリンク帯域幅およびシステムフレームの番号を設定する。また、移動局装置１は、マスターインフォメーションブロックに含まれるコンポーネントキャリアの種類を示す１ビットの情報が１にセットされていた際には、拡張された共通サーチスペースおよび拡張された移動局装置固有サーチスペースでＥ−ＰＤＣＣＨのモニタをするよう設定する。
【０１３０】
基地局装置３は、システムインフォメーションブロックのスケジューリングに用いられるＤＣＩフォーマットを拡張された共通サーチスペースのＥ−ＰＤＣＣＨを用いて送信する。移動局装置１は、拡張された共通サーチスペースにおいて、システムインフォメーションブロックのスケジューリングに用いられるＤＣＩフォーマットをモニタする（１４０４、１４０６）。基地局装置３は、拡張された移動局装置固有サーチスペースを示す情報をシステムインフォメーションブロック２に含めて送信する。つまり、基地局装置３は、拡張された移動局装置固有サーチスペースを示す情報を報知する。移動局装置１は、システムインフォメーションブロック２に含まれる拡張された移動局装置固有サーチスペースを示す情報に基づいて、拡張された移動局装置固有サーチスペースの設定をする。これにより、非後方互換性コンポーネントキャリアにおいて、移動局装置１が専用の無線リソース制御情報を受信する前に移動局装置固有サーチスペースを設定することができる。また、基地局装置３は、移動局装置１に専用の無線リソース制御情報を送信する前に拡張された移動局装置固有サーチスペースを用いてＤＣＩフォーマットを移動局装置１に送信することができる。
【０１３１】
尚、非後方互換性コンポーネントキャリアにおいて、移動局装置１が専用の無線リソース制御情報を受信する前の移動局装置固有サーチスペースは、予め決められた番号の拡張された制御チャネル要素、仮想リソースブロックまたは物理リソースブロックから構成されてもよい。また、非後方互換性コンポーネントキャリアにおいて、移動局装置１は、システムインフォメーションブロック２に含まれる拡張された移動局装置固有サーチスペースを示す情報に基づいて、拡張された移動局装置固有サーチスペースに対応する仮想リソースブロックを設定してもよい。また、移動局装置１は、当該設定された仮想リソースブロックに対応する拡張された制御チャネル要素のうち、予め決められた番号の拡張された制御チャネル要素を拡張された移動局装置固有サーチスペースとみなしてもよい。また、移動局装置１は、当該設定された仮想リソースブロックのうち、予め決められた番号の設定された仮想リソースブロックを拡張された移動局装置固有サーチスペースとみなしてもよい。
【０１３２】
しかしながら、システムインフォメーションブロック２に含まれる拡張された移動局装置固有サーチスペースを示す情報に基づいて移動局装置１が拡張された移動局装置固有サーチスペースの設定を行なうと、複数の移動局装置１が同じ拡張された移動局装置固有サーチスペースを設定することになり、拡張された移動局装置固有サーチスペースのリソースが不足してしまうという問題がある。そこで、基地局装置３は、初期コネクション確立プロシージャが終了した後に、専用の無線リソース制御情報を用いて拡張された移動局装置固有サーチスペースの再設定を行なうことが好ましい。
【０１３３】
基地局装置３は、ランダムアクセスレスポンスのスケジューリングに用いられるＤＣＩフォーマットを共通サーチスペースのＰＤＣＣＨを用いて送信する。移動局装置１は、拡張された共通サーチスペースにおいて、ランダムアクセスレスポンスのスケジューリングに用いられるＤＣＩフォーマットをモニタする（１４１０）。
【０１３４】
基地局装置３は、コンテンションレゾリューション識別子の送信に用いられるＰＵＳＣＨに対応するＤＣＩフォーマットを拡張された共通サーチスペースまたは拡張された移動局装置固有サーチスペースのＥ−ＰＤＣＣＨを用いて送信する。この際、拡張された移動局装置固有サーチスペースは、システムインフォメーションブロック２に含まれる拡張された移動局装置固有サーチスペースを示す情報に基づいて設定されている。
【０１３５】
基地局装置３は、専用の無線リソース設定情報をＰＤＳＣＨを用いて移動局装置１に送信する（１４１６）。基地局装置３は、専用の無線リソース設定情報を用いて、拡張された移動局装置固有サーチスペースの再設定を行なうことができる。基地局装置３は、専用の無線リソース設定情報のスケジューリングに用いられるＤＣＩフォーマットを拡張された共通サーチスペースまたは拡張された移動局装置固有サーチスペースのＥ−ＰＤＣＣＨを用いて送信する。この際、拡張された移動局装置固有サーチスペースは、システムインフォメーションブロック２に含まれる拡張された移動局装置固有サーチスペースを示す情報に基づいて設定されている。
【０１３６】
基地局装置３は、拡張された共通サーチスペースまたは専用の無線リソース設定情報を用いて設定した移動局装置固有サーチスペースにおいて、ＰＵＳＣＨのスケジューリングに用いられるＤＣＩフォーマットを送信する。移動局装置１は、スケジューリングされたＰＵＳＣＨを用いて専用の無線リソース設定情報に従って設定が完了したことを示すコネクションセットアップ完了メッセージ（connection setup complete message）を基地局
装置３に送信する（１４１８）。移動局装置１は、コネクションセットアップ完了メッセージの送信に成功した後、初期コネクション確立プロシージャを正しく完了したとみなす。
【０１３７】
尚、基地局装置３は、移動局装置３との通信に用いるセルにＰＤＣＣＨとＥ−ＰＤＣＣＨとが配置される際に、移動局装置１にＰＤＣＣＨまたはＥ−ＰＤＣＣＨのモニタを指示する情報によって移動局装置３が共通サーチスペースでＰＤＣＣＨをモニタするか、拡張された共通サーチスペースでＥ−ＰＤＣＣＨをモニタするかを指示してもよい。しかしながら、初期コネクション確立プロシージャ中に当該情報によりＥ−ＰＤＣＣＨのモニタを指示された移動局装置３は、コンポーネントキャリアでＰＣＦＩＣＨを送信しているか否かを識別できない。そのため、移動局装置３は、ＰＤＣＣＨおよびＥ−ＰＤＣＣＨが配置されているＯＦＤＭシンボルを識別できず、Ｅ−ＰＤＣＣＨを正しくモニタすることができない。
【０１３８】
そこで、基地局装置３は、ＰＢＣＨを用いて、移動局装置１にＰＤＣＣＨまたはＥ−ＰＤＣＣＨのモニタを指示する情報とともにＥ−ＰＤＣＣＨが配置されるＯＦＤＭシンボルを示す情報を送信してもよい。移動局装置１は、ＰＤＣＣＨまたはＥ−ＰＤＣＣＨのモニタを指示する情報によってＥ−ＰＤＣＣＨのモニタを指示された場合には、Ｅ−ＰＤＣＣＨが配置されるＯＦＤＭシンボルを示す情報に基づいてＥ−ＰＤＣＣＨが配置されるＯＦＤＭシンボルを認識する。また、移動局装置１は、ＰＤＣＣＨまたはＥ−ＰＤＣＣＨのモニタを指示する情報によってＰＤＣＣＨのモニタを指示された場合には、ＰＣＦＩＣＨを用いて受信した情報に基づいてＰＤＣＣＨが配置されるＯＦＤＭシンボルを認識する。
【０１３９】
また、Ｅ−ＰＤＣＣＨが配置されるＯＦＤＭシンボルを、予め定義してもよい。例えば、Ｅ−ＰＤＣＣＨが配置されるＯＦＤＭシンボルは、常に第１のスロットの０番、１番と
２番のＯＦＤＭシンボルを除くＯＦＤＭシンボル、および第２のスロットの全てのＯＦＤＭシンボルであってもよい。
【０１４０】
これにより、基地局装置３が、移動局装置３との通信に用いるセルにＰＤＣＣＨとＥ−ＰＤＣＣＨとが配置される際に、移動局装置１にＰＤＣＣＨまたはＥ−ＰＤＣＣＨのモニタを指示する情報によって移動局装置３が共通サーチスペースでＰＤＣＣＨをモニタするか、拡張された共通サーチスペースでＥ−ＰＤＣＣＨをモニタするかを指示する場合にも、移動局装置３は正しくＥ−ＰＤＣＣＨのモニタを行なうことができる。
【０１４１】
尚、セルの中央の７２サブキャリア内に拡張された共通サーチスペースを構成し、基地局装置３がシステムインフォメーションブロック１およびシステムインフォメーションブロック２をセルの中央の７２サブキャリア内に配置されるＰＤＳＣＨを用いて送信してもよい。これにより、図１４において、移動局装置１は、ランダムアクセスレスポンスとランダムアクセスレスポンスのスケジューリングに用いられるＤＣＩフォーマットの受信処理を行う前には、セルの中央の７２サブキャリアのみを用いて基地局装置３からシステムインフォメーションブロック１とシステムインフォメーションブロック２を受信することができ、移動局装置１の受信処理の負荷を減らすことができる。
【０１４２】
以下、本発明の移動局装置１におけるＤＣＩフォーマットをモニタするサーチスペースの切り替え処理について説明する。
【０１４３】
図１５は、本発明の移動局装置１におけるＤＣＩフォーマットをモニタするサーチスペースの切り替え処理を示すフローチャート図である。移動局装置１は、ＰＢＣＨを用いてマスターインフォメーションブロックを受信する（ステップＳ１５０１）。移動局装置１は、マスターインフォメーションブロックに含まれるコンポーネントキャリアの種類を示す１ビットの情報に基づいてコンポーネントキャリアの種類を識別する（ステップＳ１５０２）。
【０１４４】
ステップＳ１５０２において、移動局装置１は、コンポーネントキャリアの種類が後方互換性コンポーネントキャリアであるとみなした場合には、共通サーチスペース（ＣＳＳ）と移動局装置固有サーチスペース（ＵＳＳ）とでＰＤＣＣＨのモニタをする（ステップＳ１５０３）。ステップＳ１５０３の後、移動局装置１は、専用の無線リソース制御情報を受信する。また、移動局装置１は、専用の無線リソース制御情報に従って、ＰＤＣＣＨまたはＥ−ＰＤＣＣＨをモニタするサーチスペースの設定をする（ステップＳ１５０４）。移動局装置１は、設定したサーチスペース（共通サーチスペースおよび拡張された共通サーチスペースのうちいずれか一方と、移動局装置固有サーチスペースおよび拡張された移動局装置固有サーチスペースのうちいずれか一方）においてＰＤＣＣＨまたはＥ−ＰＤＣＣＨのモニタをする（ステップＳ１５０５）。
【０１４５】
ステップＳ１５０２において、移動局装置１は、コンポーネントキャリアの種類が非後方互換性コンポーネントキャリアであるとみなした場合には、拡張された共通サーチスペース（Ｅ−ＣＳＳ）でＥ−ＰＤＣＣＨのモニタをする（ステップＳ１５０６）。ステップＳ１５０６の後、移動局装置１は、システムインフォメーションブロック２を受信する（ステップＳ１５０７）。移動局装置１は、拡張された共通サーチスペース（Ｅ−ＣＳＳ）と、システムインフォメーションブロックに基づいて設定した拡張された移動局装置固有サーチスペース（Ｅ−ＵＳＳ）とにおいてＥ−ＰＤＣＣＨのモニタをする（ステップＳ１５０８）。
【０１４６】
ステップＳ１５０８の後、移動局装置１は専用の無線リソース制御情報を受信する。また、移動局装置１は、専用の無線リソース制御情報に基づいて拡張された移動局装置固有
サーチスペース（Ｅ−ＵＳＳ）の再設定をする（ステップＳ１５０９）。移動局装置１は、拡張された共通サーチスペース（Ｅ−ＣＳＳ）と、再設定した拡張された移動局装置固有サーチスペース（Ｅ−ＵＳＳ）とにおいてＥ−ＰＤＣＣＨのモニタをする（ステップＳ１５１０）。ステップＳ１５０５またはステップＳ１５１０の後にも、移動局装置１は受信した専用の無線リソース制御情報に基づいてサーチスペースの再設定を行なう。また、ステップＳ１５１０の後に、システムインフォメーションブロック２を再度受信したとしても、拡張された移動局装置固有サーチスペース（Ｅ−ＵＳＳ）の再設定を行なわない。つまり、移動局装置１は、専用の無線リソース制御情報に基づいて拡張された移動局装置固有サーチスペース（Ｅ−ＵＳＳ）の設定をしている場合には、さらに受信したシステムインフォメーションブロックに基づいて拡張された移動局装置固有サーチスペース（Ｅ−ＵＳＳ）の設定（再設定）を行なわない。
【０１４７】
以下、本発明の装置構成について説明する。
【０１４８】
図１６は、本発明の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３とサーチスペース制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１４９】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層
、無線リソース制御（Radio Resource Control: RRC）層の処理を行なう。
【０１５０】
上位層処理部１０１が備える無線リソース制御部１０１１は、自装置の各種設定情報の管理を行なう。例えば、無線リソース制御部１０１１は、Ｃ−ＲＮＴＩなどのＲＮＴＩの管理を行なう。また、無線リソース制御部１０１１は、上りリンクの各チャネルに配置される情報を生成し、送信部１０７に出力する。
【０１５１】
上位層処理部１０１が備えるスケジューリング情報解釈部１０１３は、受信部１０５を介して受信した物理チャネル（ＰＵＳＣＨやＰＤＳＣＨなど）のスケジューリングに用いられる情報の解釈をし、前記情報を解釈した結果に基づき、受信部１０５、および送信部１０７の制御を行なうために制御情報を生成し、制御部１０３に出力する。
【０１５２】
上位層処理部１０１が備えるサーチスペース制御部１０１５は、受信部１０５を介して受信したコンポーネントキャリアの種類を示す１ビットの情報を解釈する。サーチスペース制御部１０１５は、前記情報を解釈した結果に基づき、受信部１０５のＰＤＣＣＨまたはＥ−ＰＤＣＣＨのモニタの制御を行なうために制御情報を生成し、制御部１０３に出力する。また、サーチスペース制御部１０１５は、ＲＮＴＩに基づいて移動局装置固有サーチスペースを構成する制御チャネル要素の番号を算出する。また、サーチスペース制御部１０１５は、受信部１０５を介して受信した無線リソース制御情報に基づき拡張された移動局装置固有サーチスペースを構成する拡張された制御チャネル要素、仮想リソースブロックおよび物理リソースブロックを設定（識別）する。
【０１５３】
制御部１０３は、上位層処理部１０１からの制御情報に基づいて、受信部１０５、およ
び送信部１０７の制御を行なう制御信号を生成する。制御部１０３は、生成した制御信号を受信部１０５、および送信部１０７に出力して受信部１０５、および送信部１０７の制御を行なう。
【０１５４】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１５５】
無線受信部１０５７は、送受信アンテナ１０９を介して受信した下りリンクの信号を、中間周波数に変換し（ダウンコンバート: down covert）、不要な周波数成分を除去し、
信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出す
る。
【０１５６】
多重分離部１０５５は、抽出した信号をＰＨＩＣＨ、ＰＤＣＣＨ、Ｅ−ＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１５７】
復調部１０５３は、ＰＨＩＣＨに対して対応する符号を乗算して合成し、合成した信号に対してＢＰＳＫ（Binary Phase Shift Keying）変調方式の復調を行ない、復号化部１
０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥ−ＰＤＣＣＨに対して、ＱＰＳＫ変調方式の復調を行ない、復号化部１０５１へ出力する。復号化部１０５１は、ＰＤＣＣＨおよび／またはＥ−ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【０１５８】
復調部１０５３は、ＰＤＳＣＨに対して、ＱＰＳＫ（Quadrature Phase Shift Keying
）、１６ＱＡＭ（Quadrature Amplitude Modulation）、６４ＱＡＭ等の下りリンクアサ
インメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１５９】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１６０】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１６１】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１６２】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭを用いることにより同一のＰＵＳＣＨで送信される複数の上りリンクデータを、複数の系列にマッピングし、この系列に対してプレコーディング（precoding）を行なう
。
【０１６３】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT
）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１６４】
無線送信部１０７７は、多重された信号を逆高速フーリエ変換（Inverse Fast FourierTransform: IFFT）して、ＳＣ−ＦＤＭＡ方式の変調を行い、ＳＣ−ＦＤＭＡ変調された
ＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１６５】
図１７は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３と制御情報生成部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１６６】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１６７】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力す
る。また、無線リソース制御部３０１１は、移動局装置１各々の各種設定情報の管理をする。例えば、無線リソース制御部３０１１は、移動局装置１にＣ−ＲＮＴＩを割り当てるなどＲＮＴＩの管理などを行なう。
【０１６８】
上位層処理部３０１が備えるスケジューリング部３０１３は、チャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（ＰＤＳＣＨおよびＰＵＳＣＨ）のスケジューリング結果を制御情報生成部３０１５へ出力する。
【０１６９】
制御情報生成部３０１５は、スケジューリング部３０１３から入力されたスケジューリング結果に基づき、物理チャネル（ＰＤＳＣＨおよびＰＵＳＣＨ）のスケジューリングに用いられる情報を生成する。また、制御情報生成部３０１５は、コンポーネントキャリアの種類を示す１ビットの情報を含むマスターインフォメーションブロックおよび拡張された移動局装置固有サーチスペースを示す情報を含むシステムインフォメーションブロック２および拡張された移動局装置固有サーチスペースを示す情報を含む専用の無線リソース制御情報などを生成する。また、制御情報生成部３０１５は、生成した情報を送信部３０７へ出力する。
【０１７０】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１７１】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）
、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１７２】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数
領域の信号を抽出し多重分離部３０５５に出力する。
【０１７３】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１７４】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれ
ぞれに対して、ＢＰＳＫ（Binary Phase Shift Keying）、ＱＰＳＫ、１６ＱＡＭ、６４
ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１７５】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１７６】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、Ｅ−ＰＤＣＣＨ、ＰＤＳＣＨ、および下りリンク参照信号を多重して、送受信アンテナ３０９を介して移動局装置１に信号を送信する。
【０１７７】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１７８】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１７９】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１８０】
（ａ）すなわち、本発明の基地局装置は、移動局装置と通信する基地局装置であって、物理報知チャネル（ＰＢＣＨ）を用いて、共通サーチスペース（ＣＳＳ）または拡張された共通サーチスペース（Ｅ−ＣＳＳ）で物理下りリンクチャネルのモニタを前記移動局装置に指示する情報を送信する。
【０１８１】
（ｂ）また、本発明の基地局装置は、前記物理報知チャネルを、時間領域において無線
フレームのそれぞれで０番のサブフレームの第２のスロットの０番から３番までのＯＦＤＭシンボル、および周波数領域においてセルの下りリンクの中央の７２サブキャリアで送信する。
【０１８２】
（ｃ）また、本発明の基地局装置は、前記共通サーチスペースで物理下りリンク制御チャネルを送信し、前記拡張された共通サーチスペースで拡張された物理下りリンク制御チャネルを送信する。すなわち、本発明の基地局装置は、前記共通サーチスペースに物理下りリンク制御チャネルを配置し、前記拡張された共通サーチスペースに拡張された物理下りリンク制御チャネルを配置する。
【０１８３】
（ｄ）また、本発明の基地局装置は、前記移動局装置との通信に用いるセルに前記物理下りリンク制御チャネルが配置されない際には、前記情報によって前記移動局装置が前記拡張された共通サーチスペースで前記拡張された物理下りリンク制御チャネルをモニタするよう指示する。
【０１８４】
（ｅ）また、本発明の基地局装置は、前記移動局装置との通信に用いるセルに前記物理下りリンク制御チャネルと前記拡張された物理下りリンク制御チャネルとが配置される際には、前記情報によって前記移動局装置が前記共通サーチスペースで前記物理下りリンク制御チャネルをモニタするよう指示する。
【０１８５】
（ｆ）また、本発明の基地局装置は、移動局装置と通信する基地局装置であって、物理下りリンク共用チャネルを用いて、複数の前記移動局装置に対して共通であるシステムインフォメーションブロックに、拡張された移動局装置固有サーチスペースの設定に関する情報を含めて送信する。
【０１８６】
（ｇ）また、本発明の基地局装置は、前記物理下りリンク共用チャネルを用いて、前記移動局装置に対する専用の無線リソース制御情報に、前記拡張された移動局装置固有サーチスペースの設定に関する情報を含めて送信する。
【０１８７】
（ｈ）また、本発明の基地局装置は、前記専用の無線リソース制御情報を前記移動局装置に送信するまで、前記システムインフォメーションブロックに含まれる前記拡張された移動局装置固有サーチスペースの設定に関する情報に基づいて、前記移動局装置によって設定される前記拡張された移動局装置固有サーチスペースで、前記移動局装置を対象とする前記拡張された物理下りリンク制御チャネルを送信する。
【０１８８】
（ｉ）また、本発明の基地局装置は、移動局装置と通信する基地局装置であって、１つまたは複数の下りリンク制御情報（拡張された下りリンク制御チャネル）のそれぞれを１つまたは複数の連続する拡張された制御チャネル要素に配置する。また、基地局装置は、複数の前記拡張された制御チャネル要素を単一の仮想リソースブロックに配置するように前記拡張された制御チャネル要素を複数の前記仮想リソースブロックに配置する。また、基地局装置は、第１のスロットの連続する番号の前記仮想リソースブロックを第１のスロットの分散する番号の物理リソースブロックに配置する。また、基地局装置は、第２のスロットの連続する番号の前記仮想リソースブロックを第２のスロットの分散する番号の前記物理リソースブロックに配置する。また、基地局装置は、同じ番号である前記第１のスロットの仮想リソースブロックと前記第２のスロットの仮想リソースブロックとを、分散する番号の前記物理リソースブロックに配置する。
【０１８９】
（ｊ）また、本発明の基地局装置は、同じ番号である前記第１のスロットの仮想リソースブロックおよび前記第２のスロットの仮想リソースブロックに配置された複数の前記拡張された制御チャネル要素を、前記物理リソースブロックに配置する前に、前記拡張され
た制御チャネル要素よりも小さい単位でインターリーブする。
【０１９０】
（ｋ）また、本発明の移動局装置は、基地局装置と通信する移動局装置であって、物理報知チャネルを用いて、共通サーチスペースまたは拡張された共通サーチスペースで物理下りリンクチャネルのモニタを前記移動局装置に指示する情報を受信し、前記情報に基づいて、前記共通サーチスペースまたは前記拡張された共通サーチスペースで物理下りリンクチャネルをモニタする。
【０１９１】
（ｌ）また、本発明の移動局装置において、前記物理報知チャネルは、時間領域において無線フレームのそれぞれで０番のサブフレームの第２のスロットの０番から３番までのＯＦＤＭシンボル、および周波数領域においてセルの下りリンクの中央の７２サブキャリアで送信される。
【０１９２】
（ｍ）また、本発明の移動局装置は、前記共通サーチスペースで物理下りリンク制御チャネルを受信し、前記拡張された共通サーチスペースで拡張された物理下りリンク制御チャネルを受信する。本発明の移動局装置において、前記物理下りリンク制御チャネルは、物理下りリンク共用チャネルと時間多重され、前記拡張された物理下りリンク共用チャネルは、前記物理下りリンク共用チャネルと周波数多重される。
【０１９３】
（ｎ）また、本発明の移動局装置は、基地局装置と通信する移動局装置であって、物理下りリンク共用チャネルを用いて、複数の前記移動局装置に対して共通であるシステムインフォメーションブロックを受信する。本発明の移動局装置において、前記システムインフォメーションブロックは、拡張された移動局装置固有サーチスペースの設定に関する情報含む。
【０１９４】
（ｏ）また、本発明の移動局装置は、前記物理下りリンク共用チャネルを用いて、前記移動局装置に対する専用の無線リソース制御情報を受信する。本発明の移動局装置において、前記専用の無線リソースブロック制御情報は、前記拡張された移動局装置固有サーチスペースの設定に関する情報を含む。
【０１９５】
（ｐ）また、本発明の移動局装置は、前記専用の無線リソース制御情報を前記基地局装置から受信するまで、前記システムインフォメーションブロックに含まれる前記拡張された移動局装置固有サーチスペースの設定に関する情報に基づいて設定した前記拡張された移動局装置固有サーチスペースで、自装置を対象とする前記拡張された物理下りリンク制御チャネルをモニタする。
【０１９６】
（ｑ）また、本発明の移動局装置は、前記専用の無線リソース制御情報に含まれる前記拡張された移動局装置固有サーチスペースの設定に関する情報に基づいて、前記拡張された移動局装置固有サーチスペースを設定している場合には、さらに受信した前記システムインフォメーションブロックに含まれる前記拡張された移動局装置固有サーチスペースの設定に関する情報に基づいて、前記拡張された移動局装置固有サーチスペースの設定を行なわない。つまり、本発明の移動局装置は、前記専用の無線リソース制御情報に含まれる前記拡張された移動局装置固有サーチスペースの設定に関する情報に基づいて、前記拡張された移動局装置固有サーチスペースを設定している場合には、さらに受信した前記システムインフォメーションブロックに含まれる前記拡張された移動局装置固有サーチスペースの設定に関する情報を適用しない。
【０１９７】
（ｑ）また、本発明の移動局装置は、基地局装置と通信する移動局装置であって、前記基地局装置から１つまたは複数の下りリンク制御情報（拡張された物理下りリンク制御チャネル）を受信する。本発明の移動局装置において、前記１つまたは複数の下りリンク制
御情報（拡張された下りリンク制御チャネル）のそれぞれは、１つまたは複数の連続する拡張された制御チャネル要素に配置される。また、複数の前記拡張された制御チャネル要素が単一の仮想リソースブロックに配置されるように、前記拡張された制御チャネル要素は複数の前記仮想リソースブロックに配置される。また、第１のスロットの連続する番号の前記仮想リソースブロックは、第１のスロットの分散する番号の物理リソースブロックに配置される。また、第２のスロットの連続する番号の前記仮想リソースブロックは、第２のスロットの分散する番号の前記物理リソースブロックに配置される。また、同じ番号である前記第１のスロットの仮想リソースブロックと前記第２のスロットの仮想リソースブロックとは、分散する番号の前記物理リソースブロックに配置される。
【０１９８】
（ｒ）また、本発明の移動局装置において、同じ番号である第１のスロットの仮想リソースブロックおよび第２のスロットの仮想リソースブロックに配置された前記複数の拡張された制御チャネル要素は、物理リソースブロックに配置される前に、制御チャネル要素よりも小さい単位でインターリーブされる。
【０１９９】
（ｓ）また、本発明の無線通信システムは、移動局装置と基地局装置とが通信する無線通信システムであって、前記基地局装置は、物理報知チャネルを用いて、共通サーチスペースまたは拡張された共通サーチスペースで物理下りリンクチャネルのモニタを前記移動局装置に指示する情報を送信する。また、前記移動局装置は、前記情報に基づいて、前記共通サーチスペースまたは前記拡張された共通サーチスペースで物理下りリンクチャネルをモニタする。
【０２００】
（ｔ）また、本発明の無線通信システムは、移動局装置と基地局装置とが通信する無線通信システムであって、前記基地局装置は、物理下りリンク共用チャネルを用いて、複数の前記移動局装置に対して共通であるシステムインフォメーションブロックに、拡張された移動局装置固有サーチスペースの設定に関する情報を含めて送信する。また、前記移動局装置は、前記情報に基づいて、前記拡張された移動局装置固有サーチスペースを設定する。
【０２０１】
（ｕ）また、本発明の無線通信システムは、移動局装置と基地局装置とが通信する無線通信システムであって、前記基地局装置は、下りリンク制御情報を１つまたは複数の連続する拡張された制御チャネル要素に配置する。また基地局装置は、複数の前記拡張された制御チャネル要素を単一の仮想リソースブロックに配置するように、前記拡張された制御チャネル要素を複数の前記仮想リソースブロックに配置する。また、基地局装置は、第１のスロットの連続する番号の前記仮想リソースブロックを第１のスロットの分散する番号の物理リソースブロックに配置する。また、基地局装置は、第２のスロットの連続する番号の前記仮想リソースブロックを第２のスロットの分散する番号の前記物理リソースブロックに配置する。また、基地局装置は、同じ番号である前記第１のスロットの仮想リソースブロックと前記第２のスロットの仮想リソースブロックとを、分散する番号の前記物理リソースブロックに配置する。また、基地局装置は、前記物理リソースブロックに配置された信号を前記移動局装置に送信する。また、前記移動局装置は、前記物理リソースブロックに配置された信号を受信し、前記受信した信号に対して前記下りリンク制御情報の復号処理を行う。
【０２０２】
本発明に関わる基地局装置３、および移動局装置１で動作するプログラムは、本発明に関わる上記実施形態の機能を実現するように、ＣＰＵ（Central Processing Unit）等を
制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨ
ＤＤ（Hard Disk Drive）に格納され、必要に応じてＣＰＵによって読み出し、修正・書
き込みが行われる。
【０２０３】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２０４】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２０５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２０６】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２０７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０２０８】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  サーチスペース制御部
３０１１  無線リソース制御部
３０１３  スケジューリング部
３０１５  制御情報生成部
【図１】
0006034946.tif 000002
【図２】
0006034946.tif 000003
【図３】
0006034946.tif 000004
【図４】
0006034946.tif 000005
【図５】
0006034946.tif 000006
【図６】
0006034946.tif 000007
【図７】
0006034946.tif 000008
【図８】
0006034946.tif 000009
【図９】
0006034946.tif 000010
【図１０】
0006034946.tif 000011
【図１１】
0006034946.tif 000012
【図１２】
0006034946.tif 000013
【図１３】
0006034946.tif 000014
【図１４】
0006034946.tif 000015
【図１５】
0006034946.tif 000016
【図１６】
0006034946.tif 000017
【図１７】
0006034946.tif 000018